(57)【要約】  本開示は、移動体通信における制御情報シグナリング、無線通信におけるアップリンク制御情報シグナリングおよび物理アップリンク制御チャネルに関する。提案された技法は、物理アップリンク制御チャネルを送信する、ならびに、物理アップリンク制御チャネル送信に使用されるヌメロロジーに依存するアップリンク制御チャネル構造を適合させる、選択する、または決定するための方法に関する。本開示はまた、提案された方法を実行するための対応するデバイスおよびコンピュータプログラム、ならびに前記のコンピュータプログラムを含有するキャリアに関する。本開示は、物理アップリンク制御チャネルを送信するために無線デバイスに対して設定されるまたはこれによって使用される少なくとも１つのヌメロロジーに基づく、物理アップリンク制御チャネル構造を有する物理アップリンク制御チャネルについてのアップリンク制御情報（ＵＣＩ）を１つまたは複数の無線ノードに送信することを含む、物理アップリンク制御チャネルを送信するために無線デバイスにおいて使用するための方法を提案する。【選択図】図６
2020520590.tif 000002
【特許請求の範囲】
【請求項１】
物理アップリンク制御チャネルを送信するための、無線通信システムにおける無線デバイスにおいて使用するための方法であって、
物理アップリンク制御チャネル構造を有する物理アップリンク制御チャネルについてのアップリンク制御情報（ＵＣＩ）を１つまたは複数の無線ノードに送信すること（Ｓ１２）であって、前記物理アップリンク制御チャネル構造は、前記物理アップリンク制御チャネルを送信するために前記無線デバイスに対して設定されるまたはこれによって使用される少なくとも１つのヌメロロジーに基づく、アップリンク制御情報（ＵＣＩ）を１つまたは複数の無線ノードに送信すること、を含む、方法。
【請求項２】
前記無線デバイスに対して設定されるまたはこれによって使用される少なくとも１つのヌメロロジーに基づいて、物理アップリンク制御チャネル構造を決定すること（Ｓ１１）をさらに含む、請求項１に記載の方法。
【請求項３】
前記無線デバイスによって使用される少なくとも１つのヌメロロジー設定を指示する情報を取得すること（Ｓ１０）をさらに含む、請求項１に記載の方法。
【請求項４】
前記無線デバイスによって使用される少なくとも１つのヌメロロジー設定を指示する情報を取得すること（Ｓ１０）は、ネットワークノードから前記情報を受信することを含む、請求項３に記載の方法。
【請求項５】
それぞれのヌメロロジーまたは周波数サブキャリア間隔は、少なくとも１つの物理アップリンク制御チャネル設定にマッピングし、
物理アップリンク制御チャネル構造を決定すること（Ｓ１１）は、前記ヌメロロジーまたは周波数サブキャリア間隔を少なくとも１つの前記物理アップリンク制御チャネル設定にマッピングすることを含む、請求項２から４のいずれか一項に記載の方法。
【請求項６】
前記マッピングは表を使用して行われ、前記表は、それぞれの設定されるまたは使用されるヌメロロジーに対して１つまたは複数の前記物理アップリンク制御チャネル設定に対する前記物理アップリンク制御チャネル構造を規定する、請求項５に記載の方法。
【請求項７】
前記表は、前記物理アップリンク制御チャネルについてのＵＣＩを送信するために、それぞれの設定されるまたは使用されるヌメロロジーに対して、前記物理アップリンク制御チャネルのスロット、シンボル、および／またはサンプルの数における長さとして前記物理アップリンク制御チャネル構造を規定する、請求項６に記載の方法。
【請求項８】
前記表は、前記無線デバイスによって受信される、または前記無線デバイスのメモリに記憶される、請求項６または７に記載の方法。
【請求項９】
前記表は前記無線デバイスのメモリに記憶され、前記物理アップリンク制御チャネル設定および前記物理アップリンク制御チャネルのヌメロロジーは、前記無線デバイスによって受信される、請求項８に記載の方法。
【請求項１０】
前記１つまたは複数の無線ノードは、ｇＮＢといった、無線デバイス、ネットワークノード、クラウドノード、または基地局の１つまたは複数を構成する、請求項１から９のいずれか一項に記載の方法。
【請求項１１】
前記物理アップリンク制御チャネル構造は、前記物理アップリンク制御チャネルの継続時間を規定しており、前記継続時間は、規定されるスロット数、またはシンボルもしくはサンプルの数である、請求項１から１０のいずれか一項に記載の方法。
【請求項１２】
前記シンボルの数は、通常シンボルおよび特殊シンボルの数として指定される、請求項１１に記載の方法。
【請求項１３】
物理アップリンク制御チャネル構造を決定すること（Ｓ１１）は、設定される／使用される前記物理アップリンク制御チャネルのヌメロロジー、および、前記無線デバイスに対して設定される物理アップリンク制御チャネル設定に基づいて、シンボルまたはスロットの数における、前記物理アップリンク制御チャネルの長さを決定することを含む、請求項２から５のいずれか一項に記載の方法。
【請求項１４】
前記アップリンク制御チャネル設定はＰＵＣＣＨフォーマットに関連する、請求項１３に記載の方法。
【請求項１５】
前記物理アップリンク制御チャネル構造は、スロット設定またはスロット間隔と共に、取得されるまたは使用される前記ヌメロロジーに基づいて決定される、請求項２から１４のいずれか一項に記載の方法。
【請求項１６】
前記ヌメロロジーまたは周波数サブキャリア間隔を指示する情報を取得すること（Ｓ１０）は、スロット設定またはスロット間隔を取得すること（Ｓ１０ａ）をさらに含む、請求項３から１５のいずれか一項に記載の方法。
【請求項１７】
前記ヌメロロジーまたは周波数サブキャリア間隔を指示する情報を取得すること（Ｓ１０）は、ヌメロロジーと関連付けられたアップリンク帯域幅部分設定を取得すること（Ｓ１０ｂ）を含む、請求項３から１５のいずれか一項に記載の方法。
【請求項１８】
前記シンボルはＯＦＤＭシンボルまたはＳＣ−ＦＤＭＡシンボルである、請求項１１から１６のいずれか一項に記載の方法。
【請求項１９】
前記物理アップリンク制御チャネル設定はＮＲに対するＰＵＣＣＨ設定である、請求項１から１８のいずれか一項に記載の方法。
【請求項２０】
物理アップリンク制御チャネルを受信するための、無線通信システムにおけるネットワークノードにおいて使用するための方法であって、
少なくとも１つの無線デバイスに、少なくとも１つの物理アップリンク制御チャネルのヌメロロジー設定を指示する情報を送信すること（Ｓ１）と、
前記少なくとも１つの無線デバイスから、物理アップリンク制御チャネルについてのＵＣＩメッセージを受信すること（Ｓ３）であって、前記物理アップリンク制御チャネルは送信された前記情報に基づく構造を有する、ＵＣＩメッセージを受信することと、を含む、方法。
【請求項２１】
前記無線デバイスが使用することができる、または前記無線デバイスが使用するものとする、ヌメロロジーの１つまたは複数を指示する情報を取得すること（Ｓ０）をさらに含む、請求項２０に記載の方法。
【請求項２２】
情報を取得すること（Ｓ０）は、１つまたは複数の前記無線デバイスによって使用される少なくとも１つのヌメロロジーを決定すること、または別のノードから前記少なくとも１つのヌメロロジーを受信することを含む、請求項２１に記載の方法。
【請求項２３】
送信される（Ｓ１）前記情報は、スロット設定または帯域幅部分設定をさらに含む、請求項２０から２２のいずれか一項に記載の方法。
【請求項２４】
前記ヌメロロジーと物理アップリンク制御チャネル構造との間のマッピングを指示する情報を含むメッセージを前記１つまたは複数の無線デバイスに送信すること（Ｓ２）をさらに含む、請求項２０から２３のいずれか一項に記載の方法。
【請求項２５】
前記送信される情報または送信されるメッセージは、物理アップリンク制御チャネル設定をさらに含み、前記物理アップリンク制御チャネル構造は、前記ヌメロロジーおよび前記物理アップリンク制御チャネル設定の両方に基づく、請求項２０から２４のいずれか一項に記載の方法。
【請求項２６】
前記送信される情報またはメッセージは、前記無線デバイスのメモリに記憶される表を含む、または前記表におけるマッピングを指示する、請求項２２から２５のいずれか一項に記載の方法。
【請求項２７】
前記物理アップリンク制御チャネル構造は、前記物理アップリンク制御チャネルの長さを規定する、請求項２０から２６のいずれか一項に記載の方法。
【請求項２８】
前記物理アップリンク制御チャネル構造は、スロット、シンボル、および／またはサンプルの数における前記物理アップリンク制御チャネルの前記長さを規定する、請求項２７に記載の方法。
【請求項２９】
前記ネットワークノードはｇＮＢである、請求項２０から２８のいずれか一項に記載の方法。
【請求項３０】
ネットワークノード（２０）に物理アップリンク制御チャネルを送信するように設定される、無線通信システム（１００）において動作するように設定される無線デバイス（１０）であって、
通信インターフェース（１１）と、
前記無線デバイス（１０）に、物理アップリンク制御チャネル構造を有する物理アップリンク制御チャネルについてのアップリンク制御情報（ＵＣＩ）を１つまたは複数の無線ノードに送信させるように設定される処理回路構成（１２）であって、使用される前記物理アップリンク制御チャネル構造は、前記物理アップリンク制御チャネルを送信するために前記無線デバイス（１０）に対して設定されるまたはこれによって使用される少なくとも１つのヌメロロジーに基づく、処理回路構成（１２）と、を含む、無線デバイス（１０）。
【請求項３１】
前記処理回路構成（１２）は、前記無線デバイス（１０）によって使用される少なくとも１つのヌメロロジーを指示する情報を取得すること、および、前記物理アップリンク制御チャネルを送信するために前記無線デバイス（１０）に対して設定されるまたはこれによって使用される少なくとも１つのヌメロロジーに基づいて、前記物理アップリンク制御チャネル構造を決定するようにさらに設定される、請求項３０に記載の無線デバイス（１０）。
【請求項３２】
無線デバイス（１０）から物理アップリンク制御チャネルを受信するように設定される、無線通信システム（１００）において動作するように設定されるネットワークノード（２０）であって、
通信インターフェース（２１）と、
前記ネットワークノード（２０）に、少なくとも１つのヌメロロジーを指示する情報を１つまたは複数の無線デバイスに送信すること、および、前記１つまたは複数の無線デバイスから、物理アップリンク制御チャネルについてのアップリンク制御情報（ＵＣＩ）メッセージを受信することであって、前記物理アップリンク制御チャネルの構造は送信される前記情報に基づく、アップリンク制御情報（ＵＣＩ）メッセージを受信することを行わせるように設定される処理回路構成（２２）と、を含む、ネットワークノード（２０）。
【請求項３３】
前記処理回路構成（２２）は、前記無線デバイスが使用することができ、かつより多くの前記無線デバイス（１０）が使用するものとする、ヌメロロジーの１つまたは複数を指示する情報を取得するように、および前記ヌメロロジーまたは周波数サブキャリア間隔を物理アップリンク制御チャネル構造にどのようにマッピングするかを指示する情報を含むメッセージを前記無線デバイス（１０）に送信するようにさらに設定される、請求項３２に記載のネットワークノード（２０）。
【請求項３４】
無線デバイスによって使用される少なくとも１つのヌメロロジーを指示する情報を取得するように、
前記無線デバイスによって使用される少なくとも１つのヌメロロジーに基づいて物理アップリンク制御チャネル構造を決定するように、および
決定された前記物理アップリンク制御チャネル構造を使用して物理アップリンク制御チャネルについてのアップリンク制御情報を１つまたは複数の無線ノードに送信するように設定される、無線デバイス（１０）。
【請求項３５】
請求項１から１９のいずれか一項に記載の方法を実行するように設定される、請求項３４に記載の無線デバイス（１０）。
【請求項３６】
前記無線デバイスが使用することができ、かつ前記無線デバイス（１０）が使用するものとするヌメロロジーの１つまたは複数を指示する情報を取得することと、
少なくとも１つのヌメロロジーを指示する情報を１つまたは複数の無線デバイスに送信することと、
前記ヌメロロジーと物理アップリンク制御チャネル構造との間のマッピングを指示する情報を含むメッセージを前記無線デバイス（１０）に送信することと、
物理アップリンク制御チャネルについてのアップリンク制御情報メッセージを受信することであって、前記物理アップリンク制御チャネル構造は送信される前記情報に基づく、アップリンク制御情報メッセージを受信することと、を行うように設定される、ネットワークノード（２０）。
【請求項３７】
請求項２０から２９のいずれか一項に記載の方法を実行するように設定される、請求項３６に記載のネットワークノード（２０）。
【請求項３８】
無線デバイスにおいて実行される時、前記無線デバイスに、請求項１から１９のいずれか一項に記載の方法を実行させるコンピュータプログラムコードを含む、コンピュータプログラム。
【請求項３９】
ネットワークノードにおいて実行される時、前記ネットワークノードに、請求項２０から２９のいずれか一項に記載の方法を実行させるコンピュータプログラムコードを含む、コンピュータプログラム。
【請求項４０】
請求項３８または３９のコンピュータプログラムを含有するキャリアであって、電子信号、光信号、無線信号、またはコンピュータ可読記憶媒体のうちの１つである、キャリア。
【発明の詳細な説明】
【技術分野】
【０００１】
本開示は、無線通信における、アップリンク制御情報シグナリングおよび物理アップリンク制御チャネルに関する。より具体的には、提案された技法は、物理アップリンク制御チャネルを送信する、ならびに、物理アップリンク制御チャネル送信に使用されるヌメロロジーに依存するアップリンク制御チャネル構造を適合させる、選択する、または決定するための方法に関する。本開示はまた、提案された方法を実行するための対応するデバイスおよびコンピュータプログラム、ならびに上記のコンピュータプログラムを含有するキャリアに関する。
【背景技術】
【０００２】
第５世代の移動体電気通信および無線技術は、まだ完全に規定されていないが、３ＧＰＰの範囲内の進行した草案段階にある。５Ｇ無線アクセスは、第一に新しいスペクトルを目標とする新無線アクセス技術と組み合わせた既存のスペクトルに対するＬｏｎｇ  Ｔｅｒｍ  Ｅｖｏｌｕｔｉｏｎ（ＬＴＥ）の進化によって実現されるものになる。利用可能なスペクトルの不足により、１０ＧＨｚ以上といった、（これまで無線通信に使用されていた周波数と比較して）非常に高い周波数範囲にあるスペクトルは、将来の移動体通信システムに利用されることが計画されている。よって、５Ｇへの進化は、新無線（ＮＲ）に加えて、５Ｇまたは次世代（ＮＸ）としても既知の新無線（ＮＲ）アクセス技術（ＲＡＴ）についての取り組みを含む。ＮＲエアインターフェースは、ＬＴＥによって利用されない周波数帯において主に予想される初期の配置による、１ＧＨｚ未満（１ＧＨｚより下）から最高１００ＧＨｚまでの範囲におけるスペクトルを目標とする。いくつかのＬＴＥ専門用語は、同等の５Ｇエンティティまたは機能性を含むように将来を考慮した意味で本開示において使用されるが、異なる用語が５Ｇにおいて指定可能である。これまでの５Ｇ新無線（ＮＲ）アクセス技術に関する協定の概要は、３ＧＰＰ  ＴＲ  ３８．８０２  Ｖ１４．０．０（２０１７−０３）に含有される。最終的な仕様はとりわけ、将来的な３ＧＰＰ  ＴＳ  ３８．２＊＊シリーズにおいて公告される場合がある。
【０００３】
ＬＴＥおよびＮＲネットワークなどの無線通信において使用されるＲＡＴに対する物理リソースは、時間および周波数グリッドとして見られ得るものにおける時間および周波数においてスケジューリングされてよい。例えば、ＲＡＴ  ＬＴＥの基本ダウンリンク物理リソースは、図１に示されるような時間周波数グリッドとして見られ得る。ＬＴＥはダウンリンク（ＤＬ）において直交周波数分割多重（ＯＦＤＭ）を、およびアップリンク（ＵＬ）においてシングルキャリア周波数分割多元接続（ＳＣ−ＦＤＭＡ）と呼ばれるＯＦＤＭのプリコーディングされたバージョンを使用する。ＬＴＥは、完全な５ＭＨｚキャリア帯域幅上で１つの信号を拡散させる代わりに、通常はそれぞれ１８０ＫＨｚの多くの狭帯域キャリアにわたってデータを送信するためにＯＦＤＭを使用し、換言すれば、ＯＦＤＭはデータを伝達するためのマルチキャリア送信に対して多数の狭帯域のサブキャリアを使用する。よって、ＯＦＤＭはいわゆるマルチキャリアシステムである。マルチキャリアシステムは、複数のサブキャリアとして所定の周波数の複数の正弦波を使用するシステムである。マルチキャリアシステムにおいて、データは１つの送信機の異なるサブキャリアで分割される。２つの隣接するサブキャリアの周波数の間の差異は、周波数領域サブキャリア間隔、または略してサブキャリア間隔と呼ばれる。ＯＦＤＭシンボルは、いわゆる物理リソースブロック（ＰＲＢ）または単なるリソースブロック（ＲＢ）にグループ化される。ＬＴＥにおける送信の基本単位はＲＢであり、その最もよく行われる設定では、１２のサブキャリおよび７のＯＦＤＭシンボル（１スロット）から成る。ＬＴＥにおいて、リソースブロックは、全体が、周波数領域では１８０ｋＨｚ、および時間領域では０．５ｍｓ（１スロット）のサイズを有する。１つのシンボルおよび１つのサブキャリアを含有する時間周波数グリッドにおけるそれぞれのエレメントは、リソースエレメント（ＲＥ）と称される。１ｍｓごとの送信時間間隔（ＴＴＩ）は、通常は１４のＯＦＤＭシンボルで表される２つのスロット（Ｔｓｌｏｔ）から成る。ＬＴＥダウンリンク送信は、１０ｍｓの無線フレームに組織化され、それぞれの無線フレームは、図２に示されるように、Ｔｓｕｂｆｒａｍｅ＝１ｍｓの長さの１０の等しいサイズのサブフレームから成る。１つのフレーム（１０ｍｓ）におけるサンプルの数は３０７２００（３０７．２００Ｋ）サンプルである。これは、１秒当たりのサンプルの数が３０７２００×１００＝３０．７２Ｍサンプルであることを意味する。ＬＴＥにおけるリソース割り当ては、典型的には、リソースブロックに関して説明され、ここで、リソースブロックは、時間領域では１スロット（０．５ｍｓ）、および周波数領域では１２の連続的なサブキャリアに相当する。リソースブロックは、システム帯域幅の片端から０を始めとして、周波数領域において番号付けされる。
【０００４】
新しいＲＡＴ  ＮＲは、物理リソースブロックのリソースエレメントを規定するように、周波数領域では複数のキャリアをおよび時間領域では複数のシンボルを使用する、ＬＴＥと同様の、物理リソースの構造を使用するものになる。物理リソースパラメータはＮＲにおいて変化する場合がある。例えば、キャリアは可変の周波数範囲に及んでよく、キャリア間の周波数間隔または密度は変化する場合があり、さらにはサイクリックプレフィックス（ＣＰ）が使用される場合がある。サブキャリア間の周波数間隔は、サブキャリアの中央と隣接するサブキャリアとの間の周波数帯域幅、または周波数帯におけるそれぞれのサブキャリアによって占有される帯域幅として見られ得る。１つのサブキャリアおよび１つのシンボルによって規定されるリソースはリソースエレメント（ＲＥ）と呼ばれる。サンプリング時間は、サブキャリア間隔（ヌメロロジー）に異なって依存して規定可能であり、ほとんどの場合、２つのタイプのタイミングユニットＴｃおよびＴｓが使用され、Ｔｃ＝０．５０９ｎｓであり、Ｔｓ＝３２．５５２ｎｓである。
【０００５】
ヌメロロジーは、サブフレーム構造といった基本的な物理層パラメータを規定し、送信帯域幅、サブフレーム持続時間、フレーム持続時間、スロット持続時間、シンボル持続時間、サブキャリア間隔、サンプリング周波数、サブキャリア数、１サブフレーム当たりのＲＢ、１サブフレーム当たりのシンボル、ＣＰ長などを含んでよい。ＬＴＥでは、ヌメロロジーという用語は、例えば、以下のエレメント：フレーム持続時間、サブフレームまたＴＴＩ持続時間、スロット持続時間、サブキャリア間隔、サイクリックプレフィックス長、１ＲＢ当たりのサブキャリア数、帯域幅内のＲＢ数を含む（異なるヌメロロジーは同じ帯域幅内の異なる数のＲＢをもたらす場合がある）。異なるＲＡＴにおけるヌメロロジーエレメントに対する厳密値は、典型的には、性能目標によって駆動される。例えば、性能要件として、使用可能なサブキャリア間隔サイズについての制約が課せられ、例えば、最大許容位相ノイズは最小サブキャリア帯域幅をセットし、（フィルタリング複雑性および保護帯域サイズに影響を与える）スペクトルの緩慢な減衰は、一定のキャリア周波数に対するより小さいサブキャリア帯域幅に有利であり、必要とされるサイクリックプレフィックスは、オーバーヘッドを低くし続けるために一定のキャリア周波数に対する最大サブキャリア帯域幅をセットする。しかしながら、既存のＲＡＴにおいてこれまで使用されていたヌメロロジーは、むしろ静的であり、典型的には、ユーザ機器（ＵＥ）または無線デバイスによって、例えば、ＲＡＴへの１対１マッピング、周波数帯、サービスタイプ（例えば、マルチメディアブロードキャストマルチキャストサービス（ＭＢＭＳ））などによって自明に導出可能である。ＯＦＤＭベースであるＬＴＥダウンリンクにおいて、サブキャリア間隔は、通常のＣＰに対して１５ｋＨｚであり、拡張ＣＰに対して１５ｋＨｚおよび７．５ｋＨｚ（すなわち、低減したキャリア間隔）であり、後者はＭＢＭＳ専用キャリアのみに可能である。複数のヌメロロジーのサポートはＮＲに対して合意されており、このヌメロロジーは、同じまたは異なるＵＥに対する周波数および／または時間領域において多重化可能である。異なるヌメロロジーはよって、同じサブキャリア上で共存する場合がある。ＮＲにおけるヌメロロジーは、サブキャリア間隔およびＣＰオーバーヘッドによって規定されてよい。複数のサブキャリア間隔は、基本サブキャリア間隔を整数Ｎによってスケーリングすることによって導出可能である。使用されるヌメロロジーは、周波数帯と無関係に選択可能であるが、非常に高いキャリア周波数において非常に低いサブキャリア間隔を使用しないことが想定される。柔軟なネットワークおよびＵＥチャネル帯域幅がサポートされる。ＮＲに対して提案される異なるヌメロロジーを示す表が図３に示されている。ＯＦＤＭに基づくとするＮＲにおいて、複数のヌメロロジーは一般動作に対してサポートされることになる。（倍率２＾ｎ、ｎ∈Ｎ＿０に基づく）スケーリングアプローチはＮＲに対するサブキャリア間隔候補を導出するために考慮される。ここで論述されているサブキャリア帯域幅の値は、とりわけ、３．７５ｋＨｚ、１５ｋＨｚ、３０ｋＨｚ、６０ｋＨｚを含む。ヌメロロジー固有のスロット持続時間はさらにまた、サブキャリア間隔に基づいてｍｓで決定可能であり、ｍが整数である（２＾ｍ＊１５）ｋＨｚのサブキャリア間隔によって、１５ｋＨｚのヌメロロジーにおいて０．５ｍｓであるスロットに対して、厳密には１／２ｍ、０．５ｍｓが与えられる。よって、それぞれのヌメロロジーは、ｎが非負の整数であるｎの値に関連しており、サブキャリア間隔はヌメロロジーｎに対して１５ｋＨｚ＊２ｎとして規定される。１５ｋＨｚのサブキャリア間隔のそれぞれのシンボル長（ＣＰを含む）は、スケーリングされたサブキャリア間隔の対応する２ｎのシンボルの合計に等しい。
【０００６】
ＮＲにおけるサブフレームの持続時間が常に１ｍｓの持続時間を有し、かつ送信がスロットを使用することによって柔軟に規定可能であることが提案されており、スロットはＯＦＤＭ（ＤＦＴＳ−ＯＦＤＭ（離散フーリエ変換拡散ＯＦＤＭＡ）またはＳＣ−ＦＤＭＡ（Ａタイプのスケジューリングとも称される）といった１４の時間シンボル（規定される継続時間のシンボル）を含有することが提案される。可変長（任意のシンボルの持続時間）および開始位置を有することが可能である、いわゆる「ミニスロット」（またはＢタイプのスケジューリング）の使用も提案されているため、これらはスロットのどこにでも位置することが可能であり、かつ１つのシンボルの長さと同じくらい短くすることが可能である。Ａタイプの送信では、復調用参照信号（ＤＭ−ＲＳ）はスロット境界に関して規定される。Ａタイプの送信は、スロットの最初のシンボルまたは最初の数シンボルにおいて開始し、必ずしもスロットの終わりまで拡張するわけではない。Ｂタイプについて、ＤＭ−ＲＳは物理共有チャネルの開始に関連している。これはスロットにおいて柔軟に配置可能である。ＮＲにおいて、（ｇＮＢとしても既知である）ネットワークノードによって送信されるシングルキャリアの送信帯域幅は、ＵＥ帯域幅能力、または（ＵＥなどの）接続済みデバイスの設定された受信側帯域幅より大きい場合がある。それぞれのｇＮＢはまた、時間分割多重化（ＴＤＭ）または周波数分割多重化（ＦＤＭ）される異なるヌメロロジーを使用して送信してもよい。
【０００７】
少なくとも最高４８０ｋＨｚまでのサブキャリア間隔は、現在、ＮＲについて論じられている（最も大きく論じられた値はミリ波ベースの技術に相当する）。同じＮＲキャリア帯域幅内の異なるヌメロロジーを多重化することがサポートされることも合意されており、ＦＤＭおよび／またはＴＤＭ多重化は考慮可能である。異なるヌメロロジーを使用する複数の周波数／時間部分は同期信号を共有し、この場合、同期信号は信号自体を指し、時間周波数リソースは同期信号を送信するために使用される。さらに別の合意は、使用されるヌメロロジーが周波数帯と無関係に選択可能であることであるが、非常に低いサブキャリア間隔が非常に高いキャリア周波数で使用されないことが想定される。
【０００８】
ＮＲにおいて、（ｇＮＢとしても既知の）ネットワークノードによって送信されるシングルキャリアの送信帯域幅は、ＵＥ帯域幅能力、または（ＵＥなどの）接続済みデバイスの設定された受信側帯域幅より大きい場合がある。それぞれのｇＮＢはまた、時間分割多重化（ＴＤＭ）または周波数分割多重化（ＦＤＭ）される異なるヌメロロジーを使用して送信してもよい。よって、いくつかのヌメロロジーは６ＧＨｚを下回って使用されることになり、これによって、全てのヌメロロジーに対する同等のカバレッジを達成するという新たな問題が生じる。
【発明の概要】
【０００９】
本開示の目的は、当技術分野における上記の不備および欠点を、単独でまたは任意の組合せで、軽減、緩和、または排除しようする方法およびデバイスを提供することである。この目的は、物理アップリンク制御チャネルを送信するための、無線通信システムにおける無線デバイスにおいて使用するための方法であって、物理アップリンク制御チャネル構造を有する物理アップリンク制御チャネルについてのアップリンク制御情報を１つまたは複数の無線ノードに送信することであって、使用される物理アップリンク制御チャネル構造は、物理アップリンク制御チャネルを送信するために無線デバイスに対して設定されるまたはこれによって使用される少なくとも１つのヌメロロジーまたは周波数サブキャリア間隔に基づく、送信することを含む方法によって達成される。
【００１０】
いくつかの態様によると、方法は、無線デバイスによって使用される少なくとも１つのヌメロロジー設定または周波数サブキャリア間隔設定を指示する情報を取得することと、無線デバイスに対して設定されるまたはこれによって使用される少なくとも１つのヌメロロジーまたは周波数サブキャリア間隔に基づいて決定される、物理アップリンク制御チャネル構造を決定することとをさらに含む。
【００１１】
いくつかの態様によると、本開示は、物理アップリンク制御チャネルを受信するための、無線通信システムにおけるネットワークノードにおいて使用するための方法であって、少なくとも１つの無線デバイスに、少なくとも１つの物理アップリンク制御チャネルのヌメロロジー設定または周波数サブキャリア間隔設定を指示する情報を送信することと、無線デバイスのうちの少なくとも１つから、物理アップリンク制御チャネルについてのアップリンク制御情報メッセージを受信することであって、物理アップリンク制御チャネル構造は送信される情報に基づく、受信することと、を含む方法を提案している。
【００１２】
いくつかの態様によると、方法は、無線デバイスが使用することができる、および／または無線デバイスが使用するものとする、ヌメロロジーまたは周波数サブキャリア間隔の１つまたは複数を指示する情報を取得することと、ヌメロロジーまたは周波数サブキャリア間隔と物理アップリンク制御チャネル構造との間のマッピングを指示する情報を含むメッセージを１つまたは複数の無線デバイスに送信することと、をさらに含む。
【００１３】
いくつかの態様によると、本開示は、ネットワークノードに物理アップリンク制御チャネルを送信するように設定される、無線通信システムにおいて動作するように設定される無線デバイスであって、通信インターフェースと、無線デバイスに、物理アップリンク制御チャネル構造を有する物理アップリンク制御チャネルについてのアップリンク制御情報を１つまたは複数の無線ノードに送信させるように設定される処理回路構成であって、使用される物理アップリンク制御チャネル構造は、物理アップリンク制御チャネルを送信するために無線デバイスによって使用される、少なくとも１つのヌメロロジーまたは周波数サブキャリア間隔に基づく、処理回路構成と、を含む、無線デバイスを提案している。
【００１４】
いくつかの態様によると、本開示は、無線デバイスから物理アップリンク制御チャネルを受信するように設定される、無線通信システムにおいて動作するように設定されるネットワークノードであって、通信インターフェースと、ネットワークノードに、少なくとも１つのヌメロロジーまたは周波数サブキャリア間隔を指示する情報を１つまたは複数の無線デバイスに送信させて、物理アップリンク制御チャネルについてのアップリンク制御情報メッセージを受信させるように設定される処理回路構成であって、物理アップリンク制御チャネルの構造は送信される情報に基づく、処理回路構成と、を含むネットワークノードを提案している。いくつかの態様によると、本開示は、無線デバイスにおいて実行される時、無線デバイスに、後述されかつ上述される方法を実行させるコンピュータプログラムコードを含むコンピュータプログラムを提案している。いくつかの態様によると、本開示は、ネットワークノードにおいて実行される時、ネットワークノードに、後述されかつ上述される方法を実行させるコンピュータプログラムコードを含むコンピュータプログラムを提案している。
【００１５】
いくつかの態様によると、本開示は、コンピュータプログラムを含有するキャリアであって、電子信号、光信号、無線信号、またはコンピュータ可読記憶媒体のうちの１つである、キャリアを提案している。
【図面の簡単な説明】
【００１６】
【図１】時間／周波数グリッドとして見られるＬＴＥダウンリンク物理リソースを示す図である。
【図２】ＬＴＥ時間領域構造を示す図である。
【図３】ＮＲに対して提案される異なるヌメロロジーを示す表である。
【図４】いくつかのＬＴＥ  ＰＵＣＣＨフォーマット、およびこれらが伝達できるＵＣＩ情報の概要を示す表である。
【図５】異なるヌメロロジー（異なるヌメロロジーの異なるサブキャリア間隔）に対する、および異なる長ＰＵＣＣＨ設定である「長時間の長ＰＵＣＣＨ」および「短時間の長ＰＵＣＣＨ」設定（Ｃｏｎｆ１／Ｃｏｎｆ２）に対する、シンボル数のＰＵＣＣＨ長を示す表である。
【図６】物理アップリンク制御チャネルを送信するための例示のプロセスのフローチャートである。
【図７】物理アップリンク制御チャネルを受信するための例示のプロセスのフローチャートである。
【図８】物理アップリンク制御チャネルを送信するように設定される無線デバイスを示すブロック図である。
【図９】物理アップリンク制御チャネルを受信するように設定されるネットワークノードを示すブロック図である。
【図１０】物理アップリンク制御チャネルを送信するように設定される無線デバイスの代替的なブロック図である。
【図１１】物理アップリンク制御チャネルを受信するように設定されるネットワークノードを示す代替的なブロック図である。
【発明を実施するための形態】
【００１７】
本開示の態様について、添付の図面を参照して以降により詳しく説明する。しかしながら、本明細書に開示される装置および方法は、多くの異なる形態で実現可能であり、本明細書に示される態様に限定されると解釈されるべきではない。図面における同様の番号は全体を通して同様の要素を指す。本明細書において使用される専門用語は、本開示の特定の態様のみを説明する目的のものであり、本開示を限定することを意図するものではない。本明細書において使用されるように、単数形「ａ」、「ａｎ」、および「ｔｈｅ」は、別段文脈において明確に指示されない限り、複数形も含むことが意図される。
【００１８】
いくつかの実施形態では、非限定的な用語「ＵＥ」が使用される。本明細書におけるＵＥは、無線信号によってネットワークノードまたは別のＵＥと通信することが可能である任意のタイプの無線デバイスとすることができる。ＵＥは、無線通信デバイス、対象デバイス、デバイスツーデバイス（Ｄ２Ｄ）ＵＥ、マシン型ＵＥ、またはマシンツーマシン通信（Ｍ２Ｍ）対応ＵＥ、ＵＥに装備されたセンサ、ｉＰａｄ、タブレット、移動体端末、スマートフォン、ラップトップ埋め込み機器（ＬＥＥ）、ラップトップ搭載機器（ＬＭＥ）、ＵＳＢドングル、宅内機器（ＣＰＥ）などであってもよい。また、いくつかの実施形態では、一般的専門用語の「ネットワークノード」が使用される。これは、基地局、無線基地局、ベーストランシーバ基地局、基地局コントローラ、ネットワークコントローラ、ｇＮＢ、ＮＲ  ＢＳ、エボルブドＮｏｄｅＢ（ｅＮＢ）、ＮｏｄｅＢ、マルチセル／マルチキャスト協調エンティティ（ＭＣＥ）、中継ノード、アクセスポイント、無線アクセスポイント、リモートラジオユニット（ＲＲＵ）、リモートラジオヘッド（ＲＲＨ）、マルチスタンダードＢＳ（別称、ＭＳＲ  ＢＳ）、ＴＰ（送信点）、ＴＲＰ（送受信点）、コアネットワークノード（例えば、ＭＭＥ、ＳＯＮノード、協調ノード、測位ノード、ＭＤＴノードなど）、またはさらには外部ノード（例えば、サードパーティノード、現在のネットワークの外部のノード）などの無線ネットワークノードで構成可能である任意の種類のネットワークノードとすることができる。ネットワークノードはテスト機器を含んでもよい。「シンボル」または「時間シンボル」という用語は、時間領域における持続時間を規定する。シンボルまたは時間シンボルは、ＯＦＤＭ、ＤＦＴＳ−ＯＦＤＭ、またはＳＣ−ＦＤＭＡシンボルであってよい。
【００１９】
無線ＲＡＴにおいて、データおよび制御情報は、異なる物理チャネルを使用して送信されてよい。例えば、ＬＴＥでは、ユーザデータおよび制御情報を送信するための物理ダウンリンク共有チャネル（ＰＤＳＣＨ）、制御メッセージを送信するための物理ダウンリンク制御チャネル（ＰＤＣＣＨ）、ユーザデータおよび制御情報を送信するための物理アップリンク共有チャネル（ＰＵＳＣＨ）、および制御メッセージを送信するための物理アップリンク制御チャネル（ＰＵＣＣＨ）などのいくつかの物理チャネルが、ダウンリンクおよびアップリンク上に存在する。同様のチャネルは、たとえ、これらの構造、およびことによるとこれらの名称もＬＴＥにおいて使用されるものと異なっている場合があっても、ＮＲに存在するものになる。ＬＴＥにおけるＰＵＣＣＨは、アップリンク制御情報（ＵＣＩ）を伝達するために使用される。ＵＣＩは、ＰＵＳＣＨ送信がスケジューリングされている場合、すなわち、ＵＥがデータ送信のためにアップリンクリソースをアサインされている（ＵＥが、アプリケーションデータまたは無線リソース制御（ＲＲＣ）シグナリングを有する）場合、ＰＵＳＣＨ上でトランスポートされてもよい。ＬＴＥ  ＵＥは、同じサブフレームの間ＰＵＣＣＨおよびＰＵＳＣＨ両方を通常は送信しない。Ｒｅｌ−１０でＰＵＳＣＨおよびＰＵＣＣＨの同時送信が規定されるとしても、使用されることはほとんどない。ＬＴＥ  ＰＵＣＣＨは、スタンドアローンのアップリンク物理チャネルであり、ＨＡＲＱ（ハイブリッド自動再送要求）ＡＣＫ／ＮＡＣＫ（ＮＡＫ）（肯定応答／否定応答）、ＣＱＩ−チャネル品質指標、ＭＩＭＯ（マルチインプットマルチアウトプット）フィードバック−ＲＩ（ランク指標）、ＰＭＩ（プリコーディング行列指標）、アップリンク送信のためのスケジューリング要求、ＰＵＣＣＨ変調に使用されるＢＰＳＫまたはＱＰＳＫを含む。ＰＵＣＣＨは、ＰＵＳＣＨに利用可能なＲＢのフラグメント化を回避するためにチャネルＢＷのエッジにおいてＲＢが割り当てられてよい。
【００２０】
スケジューリング要求（ＳＲ）は、例えば、ＰＵＳＣＨ上のデータを送信するためにＵＬグラントをネットワークに求める、ＵＥ／無線デバイスからネットワークノード／基地局への物理層メッセージである。ＵＬグラントは、ダウンリンク制御情報（ＤＣＩ）メッセージ、例えば、ＤＣＩ  ０−０または０−１において送られてよい。ＵＥは、例えば、ＰＵＣＣＨまたはＰＵＳＣＨ上で、ＵＣＩにおいてまたはバッファステータスレポートとして、ＳＲを送信してよい。全てのＰＵＣＣＨフォーマットがＳＲを伝達可能であるとは限らない。ＵＥは、状況に応じてある特定のＰＵＣＣＨフォーマットを使用している。ＬＴＥにおいて、ｅＮＢは、ＵＥがＰＵＣＣＨ上でＳＲを送信できるようにＲＲＣシグナリングを介してＳＲ設定でＵＥを設定する必要がある。ＳＲがトリガされると、ＵＥはＳＲ周期性およびオフセットを算出する。ＰＵＣＣＨ上で第１のＳＲを送信後、ＵＥがｅＮＢからアップリンクリソースを受信しない場合、ＵＥはその後にＰＵＣＣＨ上でＳＲを再送してよい。ＬＴＥにおけるスケジューリング要求設定は、ＳＲ周期性も指示する、３ＧＰＰ  ＴＳ  ３６．２１３の表１０．１．５−１に指定されている。ＮＲにおいて、ＳＲ設定周期性は、非常に柔軟可能に設定でき、とりわけ、２シンボル、７シンボル、１、２、５、および１０ｍｓを含むことができる。ＳＲの周期性は、（６ＧＨｚを下回る）「ローバンド」では１５または３０ｋＨｚ、および（６ＧＨｚを上回る）「ハイバンド」では６０または１２０ｋＨｚなど、使用されるヌメロロジーに依存することになる。
【００２１】
標準によって、異なる状況に対して使用されるいくつかのＬＴＥ  ＰＵＣＣＨフォーマットが指定される。図４は、３ＧＰＰ仕様３６．２１３からの表であり、いくつかのＬＴＥ  ＰＵＣＣＨフォーマット、および伝達できるＵＣＩ情報の概要を示す。タイミングに加えて、ＵＥはまた、厳密なＰＵＣＣＨリソースを知る必要がある。ＬＴＥにおいて、ＰＵＣＣＨフォーマットに応じて、暗黙的なおよび明示的なシグナリングが使用される。ＰＵＣＣＨフォーマット１ａ／１ｂおよび２／２ａ／２ｂに対して、暗黙的なシグナリングが使用され、この場合、ＰＵＣＣＨリソースは、（ＲＲＣ設定のパラメータに加えて）スケジューリングＰＤＣＣＨ  ＣＣＥの位置から導出される。他のＰＵＣＣＨフォーマットについて、ＰＵＣＣＨリソースのプールが設定され、ＡＣＫ／ＮＡＣＫリソース指標（ＡＲＩ）は、設定されたリソースのうちの１つを動的に選択するために使用される。
【００２２】
ＬＴＥは、広範囲のペイロードを対象にする、多数の異なるＰＵＣＣＨフォーマットを規定する。
【００２３】
ＰＵＣＣＨフォーマット１／１ａ／１ｂ
スケジューリング要求、および１または２ビットのＨＡＲＱフィードバックに使用される。このフォーマットは、シーケンス変調を使用し、この場合、低ＰＡＰＲベースシーケンスは、１つのＯＦＤＭシンボルおよび時間領域ブロック拡散の１２のサブキャリア上にマッピングされる。種々のユーザは、種々のユーザに、同じベースシーケンスの異なる巡回シフトをアサインすること、および／または異なるブロック拡散シーケンスをアサインすることによって、同じ時間周波数リソースに対して多重化可能である。割り当てられた１２のサブキャリアは、周波数ダイバーシティを取得するためにスロット境界において周波数ホッピングする。７のシンボルのうちの３つは参照信号に使用される（通常のサイクリックプレフィックス）。
【００２４】
ＰＵＣＣＨフォーマット２／２ａ／２ｂ
最大１３ビットまでのＣＱＩ、およびＨＡＲＱフィードバックと併せたＣＱＩにも使用される。ペイロードは、リードマラ−符号化を使用してコード化され、ビットの対はＱＰＳＫシンボルにマッピングされる。それぞれのＱＰＳＫシンボルは、１つのＯＦＤＭシンボルの１２のサブキャリアに対してマッピングされる低ＰＡＰＲベースシーケンスで多重化される。異なる符号化ビットは、異なるＯＦＤＭシンボルを使用して送信され、割り当てられた１２のサブキャリアは、周波数ダイバーシティを取得するためにスロット境界において周波数ホッピングする。合計で、２０の符号化ビットが２０のＯＦＤＭシンボルにわたってマッピングされる。ＣＱＩに加えてＨＡＲＱフィードバックも伝達するフォーマット２ａ／２ｂは、第２の参照信号を１または２ビットのＨＡＲＱフィードバックで変調する。複数のユーザは、同じベースシーケンスの異なる巡回シフトを種々のユーザにアサインすることによって、同じ時間周波数リソースに対して多重化可能である。７のシンボルのうちの２つは参照信号に使用される（通常のサイクリックプレフィックス）。
【００２５】
ＰＵＣＣＨフォーマット３
ＰＵＣＣＨフォーマット３は、最大１１または２２ビットまでのペイロードのためのものである。ペイロードは、両方の場合に４８の符号化ビットを生成するリードマラ−符号化（最大１１ビットまで：単一のリードマラ−コード、最大２２ビットまで：デュアルリードマラ−コード）を使用してコード化される（単一のリードマラ−符号の場合ビットは繰り返される）。４８の符号化ビットは、１２のＱＰＳＫシンボルが第１のスロットにおける１２のサブキャリア上で送信され、その他の１２のＱＰＳＫシンボルが第２のスロットにおける（周波数ダイバーシティを取得するために周波数ホッピングされる）その他の１２のサブキャリア上で送信されるように、２４のＱＰＳＫシンボルにマッピングされる。それぞれのスロットでは、１２のＱＰＳＫシンボルは、低ＰＡＰＲを取得するためにＤＦＴプリコーディングされて１２のサブキャリア上で送信され、ＯＦＤＭシンボルにわたって（ブロック拡散で）繰り返される。複数のユーザは、種々のブロック拡散シーケンスを種々のユーザにアサインすることによって、同じ時間周波数リソースに対して多重化可能である。７のシンボルのうちの２つは参照信号に使用される（通常のサイクリックプレフィックス）。
【００２６】
ＰＵＣＣＨフォーマット４
ＰＵＣＣＨフォーマット４は、（８の割り当て済みＰＲＢおよびコードレート１／３を想定して）最大７６８ビットまでのペイロードに対するものである。ペイロードは、テールバイティング畳み込み符号を使用してコード化され、かつＱＰＳＫ変調シンボルにマッピングされる。変調シンボルはグループに分割され、それぞれのグループは、ＤＦＴプリコーディングされかつ別個のＯＦＤＭシンボルにおいて送信される。割り当てられたＰＲＢ数はペイロードサイズに調節可能である。割り当てられたＰＲＢは、周波数ダイバーシティを取得するためにスロット境界において周波数ホッピングする。１スロット当たり１つのＤＭ−ＲＳシンボルが挿入され、すなわち、７のシンボルのうちの１つが参照信号に使用される（通常のサイクリックプレフィックス）。このフォーマットは、同じリソースに対する種々のユーザの多重化をサポートしない。
【００２７】
ＰＵＣＣＨフォーマット５
このフォーマットは、ＰＵＣＣＨフォーマット４と非常に類似しており、最大４８ビットまでのペイロードサイズ（コードレート１／３）をサポートする。ＰＵＣＣＨフォーマット４とは異なって、このフォーマットは、１つのＰＲＢの固定されたＰＲＢ割り当てのみをサポートし、かつ同じ時間周波数リソースに対する２ユーザの多重化を可能にする。この多重化は、ＤＦＴプリコーダに入力される（１２の変調シンボルをもたらす）２シーケンス長による６のＱＰＳＫシンボルをブロック拡散することによって達成される。
【００２８】
異なる名称も可能である場合があるけれども本開示においてＰＵＣＣＨと示される時がある、ＮＲに対する物理アップリンク制御チャネルは、いくつかの物理アップリンク制御チャネルフォーマット、すなわち、いわゆるＰＵＣＣＨフォーマットも活用することになる。ＬＴＥは、時には同様のペイロードサイズを有する多数のＰＵＣＣＨフォーマットを規定する。ＮＲにおけるＰＵＣＣＨフォーマットの数を低減することが望ましく、広範なペイロードを対象にし、かつ同じ時間周波数リソースに対するユーザの多重化も可能にするＰＵＣＣＨ方式が提案されている。このフォーマットは、小さいペイロードサイズに対する別のフォーマットと併せて、ＮＲの必要とされるＵＣＩペイロードサイズ全てを対象にすることができ、これによって、ＬＴＥよりもはるかに少ないＰＵＣＣＨフォーマットがもたらされる。ＮＲは、異なるスロットフォーマットまたはスロット設定を規定し、スロットは例えば、スロット間隔とも称される１４のシンボルとすることができ、スロット持続時間は、純ＵＬスロットとすることができ、またはＤＬ制御領域を有することができ、スロット持続時間は複信方向の間の異なる長いガード期間を収容することができ、複数のスロットはアグリゲート可能であり、拡張されたサイクリックプレフィックスによるヌメロロジーによって、１スロット当たりのシンボルは少なくなる。例えば、拡張されたサイクリックプレフィックスを含むスロット設定は、１スロットにおいて１２シンボルを含有する場合があるが、通常のサイクリックプレフィックスによるスロットは１４シンボルを含有する。さらに、１つは異なるヌメロロジーに対して異なるスロット設定を有する場合があり、さらにまた、７番目のシンボル（１５ｋＨｚ）または１４番目のシンボル（３０ｋＨｚ）ごとに、「特殊シンボル」と称される場合があるわずかに大きいＣＰを有し、１５ｋＨｚのＳＣＳでは、１４シンボルのスロット設定は、１つの特殊シンボル、その後６つの通常シンボル、その後１つの特殊シンボル、その後６つの通常シンボルを含んでよく、３０ｋＨｚのＳＣＳでは、１４シンボルのスロット設定は、１つの特殊シンボル、その後１３の通常シンボルであってよい。このわずかに長くなったＣＰは拡張ＣＰと異なっている。スロット設定では通常シンボルおよび特殊シンボルの数を規定してよく、物理アップリンク制御チャネルの構造（例えば、長さ）は特殊シンボルも含む。
【００２９】
「スロット」は、送信のシンボルの長さも指すことができる。これらの全ての因子は、ＰＵＣＣＨ送信に利用可能なＯＦＤＭシンボルの数に影響を与える。それぞれの長さに対してＰＵＣＣＨフォーマットを規定することを回避するために、提案された設計は、ユーザを多重化するためにＯＦＤＭシンボルにわたってブロック拡散を使用しない。単一のＰＵＣＣＨフォーマットを有することも望ましく、このペイロードサイズは広範囲を対象とする。これを可能にするために、提案された方式は、（単一の変調次数、ＱＰＳＫであることが好ましいけれども）異なるＱＡＭ変調次数、または周波数領域におけるより多くのアサインされたリソースを使用することができる。
【００３０】
帯域幅部分（ＢＷＰ）と呼ばれる構成を使用する利用可能なキャリア帯域幅の部分のみを設定できることは、ＮＲにおいて合意されている。典型的には、１つまたは複数のこのような帯域幅部分はＵＥに対して設定可能であり、この場合１つのみがアクティブであり、ＵＥはさらにまた、これらの帯域幅部分の間で切り替えてよい、すなわち、アクティブなものになるように変更してよい。これは特に、キャリアの帯域幅全体をハンドリングすることができないデバイス（限定された能力のデバイス）にとって有用である。初期のおよび／またはデフォルトのＢＷＰがある可能性があり、アクティブ化は時間ベースであり得、時間がタイムアウトする時、初期またはデフォルトに戻るように切り替える。ＵＥについて、設定されたＤＬ（またはＵＬ）ＢＷＰは、周波数領域において、サービングセルにおける別の設定済みＤＬ（またはＵＬ）ＢＷＰと重複する場合がある。それぞれのサービングセルについて、ＤＬ／ＵＬ  ＢＷＰ設定の最大数は、対スペクトルについて、４のＤＬ  ＢＷＰおよび４のＵＬ  ＢＷＰであり、不対スペクトルについて、４のＤＬ／ＵＬ  ＢＷＰ対であり、補足アップリンク（ＳＵＬ）について、４のＵＬ  ＢＷＰである。対スペクトルについて、時間ベースのアクティブなＤＬ  ＢＷＰをデフォルトのＤＬ  ＢＷＰに切り替えるための専用タイマーをサポートする。ＵＥは、そのアクティブなＤＬ  ＢＷＰを、デフォルトのＤＬ  ＢＷＰ以外のＤＬ  ＢＷＰに切り替える時にこのタイマーを開始する。ＵＥは、このアクティブなＤＬ  ＢＷＰにおいて、うまくＤＣＩを復号して物理ダウンリンク共有チャネル（ＰＤＳＣＨ）をスケジューリングする時に初期値にしてタイマーを再開する。ＵＥは、タイマーが切れると、このアクティブなＤＬ  ＢＷＰをデフォルトのＤＬ  ＢＷＰに切り替える。それぞれの帯域幅部分は、固有のヌメロロジー（サブキャリア間隔、ＣＰタイプ）と関連付けられる。ＵＥは、少なくとも１つのＤＬ帯域幅部分および１つのＵＬ帯域幅部分が、所与の時刻に対する設定済み帯域幅部分のセットの間でアクティブであると予想する。ＵＥは、少なくとも、ＤＬに対してＰＤＳＣＨおよび／またはＰＤＣＣＨ、ならびに、ＵＬに対してＰＵＣＣＨ（物理アップリンク制御チャネル）および／またはＰＵＳＣＨ（物理アップリンク共有チャネル）について、関連付けられたヌメロロジーを使用してアクティブなＤＬ／ＵＬ帯域幅部分内で受信／送信することのみが想定される。現在、同じまたは異なるヌメロロジーによる複数の帯域幅部分がＵＥに対して同時にアクティブとすることができるかどうか審議中であるが、３ＧＰＰにおけるＮＲのリリース１５において、一度に１つのみがアクティブとすることが合意されている。これは、ＵＥが、同じインスタンスにおいて異なるヌメロロジーをサポートすることが必要とされることを暗示していない。アクティブなＤＬ／ＵＬ帯域幅部分は、コンポーネントキャリアにおけるＵＥのＤＬ／ＵＬ帯域幅能力より大きい周波数範囲に及ぶことが想定されていない。ＵＥ  ＲＦが帯域幅部分の切り替えのために再調整することを可能にするための必要な機構を指定することが合意されている。所与の時刻に対する１つのアクティブなＤＬ  ＢＷＰの場合、ＤＬ帯域幅部分の設定は、少なくとも１つのＣＯＲＥＳＥＴ（制御−リソースセット）を含み、ＣＯＲＥＳＥＴは、周波数領域ではリソースブロックの倍数（すなわち、１２のＲＥの倍数）、および時間領域では「１または２または３」のＯＦＤＭシンボルから成る。ＵＥは、ＰＤＳＣＨ、および対応するＰＤＣＣＨ（ＰＤＳＣＨに対するスケジューリングアサインメントを伝達するＰＤＣＣＨ）が、ＰＤＳＣＨ送信がＰＤＣＣＨ送信の終了後にＫのシンボル以内に開始する場合に同じＢＷＰ内で送信されることを想定できる。対応するＰＤＣＣＨの終了後にＫのシンボル超で開始するＰＤＳＣＨ送信の場合、ＰＤＣＣＨおよびＰＤＳＣＨは異なるＢＷＰにおいて送信されてよい。ＵＥに対するアクティブなＤＬ／ＵＬ帯域幅部分の指示のために、以下のオプション：オプション＃１：ＤＣＩ（明示的および／または暗黙的）、オプション＃２：ＭＡＣ  ＣＥ、オプション＃３：時間パターン（例えば、ＤＲＸのような）が（これらの組合せを含んで）考慮される。ＢＷＰの設定において、ＵＥはＰＲＢ（物理リソースブロック）に関してＢＷＰが設定される。ＢＷＰと基準点との間のオフセットは、ＵＥに暗黙的にまたは明示的に指示される。共通のＰＲＢインデックス作成は、少なくとも、ＲＲＣ接続状態におけるＤＬ  ＢＷＰ設定に対して使用され、基準点はＰＲＢ  ０であり、これは、ＮＢ、ＣＡ、またはＷＢのＵＥであるかどうかにかかわらず、ネットワークの観点から、広帯域ＣＣを共有するＵＥ全てに共通である。ＰＲＢ  ０は高位層シグナリングによって設定される。共通のＰＲＢインデックス作成は、３８．２１１における表４．３．２−１において規定される所与のヌメロロジーに対する最大数のＰＲＢに対するものである。
【００３１】
典型的には６ＧＨｚを下回るいくつかのヌメロロジーが、ＮＲにおいて使用されることになるため、全てのヌメロロジーに対して同等のカバレッジを達成することは、物理アップリンク制御チャネル設定を決定する複雑さを増大させる。ＮＲは、異なる長さのＰＵＣＣＨ設定を使用することになる。短ＰＵＣＣＨおよび長ＰＵＣＣＨはＮＲにおいて提案されている。短ＰＵＣＣＨは典型的には、１または２のシンボル長であり、最後から２番目または最後のシンボルにおけるスロット間隔の終わりに配置されることが多いが、スロット間隔にわたって分散される場合もあり、長ＰＵＣＣＨは４シンボル以上の長さ（４〜１４シンボル）であり、いくつかのスロット上で拡張され得る、または拡張が繰り返され得る。異なるＰＵＣＣＨフォーマットに対する異なるＰＵＣＣＨ設定が提案されている。ＰＵＣＣＨフォーマット０および２はシンボル０〜１３で始まる短い送信フォーマット（１または２シンボル）を使用するが、ＰＵＣＣＨフォーマット１、３、および４はシンボル１〜１０で始まる長い送信フォーマット（４〜１４シンボル）を使用する。全てのヌメロロジーに対して同等のカバレッジを達成するために、１ｍｓのＰＵＣＣＨ設定が（少なくとも６ＧＨｚ未満の）ヌメロロジーと無関係に存在しなければならないことが考慮される可能性がある。しかしながら、大きい配置に対して１ｍｓが必要とされ、さらにまた、１５ｋＨｚのみがＯＫであることも論じられる可能性がある。よって、１５ｋＨｚでは、最も長いＰＵＣＣＨはおよそ１４シンボル長としなければならず、２＾ｎ＊１５ｋＨｚに対して１４＊２＾ｎシンボルである。
【００３２】
本開示は、使用されるヌメロロジーに応じて、物理アップリンク制御チャネル構造またはフォーマットを調節することによって、上述される問題および欠点に対する解決策を提供する。ＮＲは送信をスケジューリングするためにサブフレームより多いスロットを使用する場合があるため、およびＮＲにおいて規定されるスロットはＬＴＥにおけるスロットまたはサブフレームより短い持続時間を有する場合があるため、複数のスロットにわたって広がることのない長ＰＵＣＣＨは、持続時間が単一スロットの長さに限定されることが考えられる（スロットはまた、＜１５ｋＨｚのサブキャリア間隔、ＳＣＳによるヌメロロジーに対して、１ｍｓより長い場合さえある）。ＮＲ配置に対してＬＴＥサイトグリッドを再利用することができるように、ＬＴＥと同様のＰＵＣＣＨ持続時間（１ｍｓ）が、少なくとも、ＬＴＥサイトグリッドを再利用する配置において使用される可能性があるいくつかのヌメロロジーに対して、必要とされる。複数のスロットにわたってＰＵＣＣＨの繰り返しをサポートすることが合意されている。よって、ＰＵＣＣＨヌメロロジーの関数としてＰＵＣＣＨにおけるスロットの数を算出することが提案され、最も一般的には、Ｎｓｌｏｔ＝ｆ（Ｎｕｍ）または（ＰＵＣＣＨヌメロロジーの関数としてのスロットの数）、または代替的には、ＰＵＣＣＨにおけるＰＵＣＣＨシンボルの数、Ｎｓｌｏｔ＝ｆ（Ｎｕｍ）、または（ＰＵＣＣＨヌメロロジーの関数としてＰＵＣＣＨにおけるＰＵＣＣＨシンボルの数）である。本開示は、ＰＵＣＣＨとも称される物理アップリンク制御チャネルを決定しかつ送信する、例えば、（ＵＥなどの）無線デバイスから（基地局などの）無線ノードにＰＵＣＣＨについてのアップリンク制御情報（ＵＣＩ）を送信する、およびＰＵＣＣＨ構造とも称される物理アップリンク制御チャネル構造を決定するための方法および装置を含む。無線ノードにおけるＰＵＣＣＨを受信するための方法および装置も開示される。第１の実施形態では、ＰＵＣＣＨ構造（ＰＵＣＣＨ長）は決定または設定されてよい。（１または２シンボルの）短ＰＵＣＣＨについて、短ＰＵＣＣＨ１（１シンボル長）または短ＰＵＣＣＨ２（２シンボル長）が設定可能であるが、長ＰＵＣＣＨについて、長ＰＵＣＣＨが４〜１４シンボルを有するためより多くのオプションがある。よって、本開示の１つの態様では、長ＰＵＣＣＨ長は半静的に設定される。異なるペイロード範囲に対して、それぞれが４〜１４シンボル長になる、２または３などのいくつかの異なる長ＰＵＣＣＨフォーマットがある場合がある。よって、長ＰＵＣＣＨ１、２、または３（ＰＵＣＣＨフォーマット）、その後、例えば１２シンボルのＰＵＣＣＨの長さが設定可能であり、この長さはＰＵＣＣＨ構造の一部分である。例えば、ＲＲＣ仕様は、例えば、物理アップリンク制御チャネルの長さといった、（例えば、長ＰＵＣＣＨに対して）物理アップリンク制御チャネル構造にヌメロロジーをリンクすることが可能である表を規定してよい。ＰＵＣＣＨに対するある特定のヌメロロジーを使用するまたはこれによって設定される無線デバイス（または、ある特定のヌメロロジーに関連する周波数サブキャリア間隔）は、前記の情報を使用して、ＰＵＣＣＨ長などの物理アップリンク制御チャネル構造のパラメータを、表を使用することによって、例えば、使用されるまたは設定されるヌメロロジー（サブキャリア間隔）をある特定の物理アップリンク制御チャネル構造（例えば、ＰＵＣＣＨ長）にマッピングすることによって見出すことが可能である。
【００３３】
例えば、ＲＲＣ仕様は、ヌメロロジー、またはヌメロロジーにおいて使用されるサブキャリア間隔を、長ＰＵＣＣＨの１つまたは複数の設定に左右される場合がある異なるＰＵＣＣＨ構造（ＰＵＣＣＨ長など）にリンクする表を規定することができる。図５に示される例として、異なるヌメロロジーの異なるサブキャリア間隔は長ＰＵＣＣＨに対する２つの設定（「長時間の」長ＰＵＣＣＨ（Ｃｏｎｆ１）および「短時間の」長ＰＵＣＣＨ（Ｃｏｎｆ２））に関連しており、この場合、異なる設定はそれぞれのヌメロロジーに対するＰＵＣＣＨの異なる持続時間にマッピングし、ＰＵＣＣＨ長はシンボルまたはスロットの数になる。それぞれのヌメロロジーに対して、少なくとも１つのＰＵＣＣＨ長が規定され、それぞれのＰＵＣＣＨ設定（例えば、Ｃｏｎｆ１、２、または３）に対して、１つまたは複数の長さはそれぞれのヌメロロジーに対して規定可能であり、例えば、図５における表のＣｏｎｆ１は１５および３０ｋＨｚに対して１ｍｓになり、６０ｋＨｚに対して０．５または１ｍｓになり（さらにまた、０．５または１ｍｓにするべきかどうかを決定する必要があると思われる）、これによって、異なるヌメロロジーに対して異なるＰＵＣＣＨ長が与えられることになる。例えば、（図５における表にＣｏｎｆ１と示される）第１の長ＰＵＣＣＨに関連する第１の設定、および（図５における表にＣｏｎｆ２と示される）第２の長ＰＵＣＣＨに関連する第２の設定は、サブキャリア間隔が増大する場合、シンボルまたはスロットの持続時間または長さが増大する。長ＰＵＣＣＨ設定３に対する第３の設定、Ｃｏｎｆ３はまた、表に含まれることが可能である（図示せず）。図５に見られるように、例として、（時には、基準またはデフォルト（ゼロ）のヌメロロジーと称される）１５ｋＨｚのサブキャリア間隔を使用するヌメロロジーは、１４シンボルの第１の長ＰＵＣＣＨ設定（Ｃｏｎｆ１）を有するが、３０ｋＨｚのサブキャリア間隔によるヌメロロジーを使用すると、この場合、２８シンボルの第１の長ＰＵＣＣＨ設定が与えられてよい。将来的なＮＲ仕様（ＮＲに関連する通信標準の３ＧＰＰ技術仕様）などにおける表形式標準は、さらにまた、（例えば、表において）それぞれのヌメロロジーまたは周波数サブキャリア間隔について少なくとも１つのＰＵＣＣＨ長を、または図５に例示されるように、それぞれのヌメロロジーに対してそれぞれの物理アップリンク制御チャネル設定（例えば、Ｃｏｎｆ１、Ｃｏｎｆ２、およびＣｏｎｆ３）に関連する少なくとも１つのＰＵＣＣＨ長を規定可能である。表における行を明示的に選択する代わりに、いずれにしてもシグナリングされるヌメロロジーを使用して、（ヌメロロジーはすでにシグナリングされているため）追加のシグナリングビットを加える必要のない設定を選択する。実施形態の１つの例示の態様では、ビットストリングはＲＲＣ設定の一部分として送られ、これは、ＰＵＣＣＨ繰り返し設定／構造のために確保される１つのビットを有することができる。ＰＵＣＣＨヌメロロジーに応じて、ビットは、例えば、１５ｋＨｚ：０：１４シンボル、１：２８シンボル、６０ｋＨｚ：０：５６シンボル、１：１１２シンボルといった異なるものを意味する。両方の場合、「０」は１ｍｓを意味し、「１」は２ｍｓを意味するが、これは、異なるヌメロロジーにおける異なる数のシンボルを必要とする。別の可能性として、１５ｋＨｚ：０：１繰り返し、１：２繰り返し、６０ｋＨｚ：０：４繰り返し、１：８繰り返しが考えられる（繰り返しは元のものもカウントする）。すなわち、設定における同じビットフィールドはヌメロロジーに応じて無線デバイスによって異なって解釈される。無線デバイスは、異なるＢＷＰによって設定されてよく、この場合、それぞれのＵＬ  ＢＷＰはＰＵＳＣＨ／ＰＵＣＣＨによって使用されるヌメロロジーと関連付けられている。コンポーネントキャリアごとのそれぞれのＵＬ  ＢＷＰ設定について、関連付けられたヌメロロジーはＰＵＣＣＨ送信に適用される。それに応じて、使用されるＵＬヌメロロジー設定、すなわち、ＵＬ  ＢＷＰ設定のヌメロロジーは、よって、ＰＵＣＣＨに、すなわち、ＰＵＣＣＨを送信するために適用されてよい。無線デバイスはまた、異なる長さの異なるＰＵＣＣＨ設定によって設定されてよい。それゆえに、ＰＵＣＣＨに使用されるＵＬ  ＢＷＰのヌメロロジーは、表を使用して、ＰＵＣＣＨ長などのＰＵＣＣＨ構造にリンクされてよい。よって、ＰＵＣＣＨ上でＵＣＩを送信するために使用されるＵＬ  ＢＷＰヌメロロジーの知識は、ＰＵＣＣＨ長などのＰＵＣＣＨ構造についての情報を取得するために使用されてよい。ＮＲは、スロット設定、すなわち、ヌメロロジーに応じてゼロ、１、または２の特殊シンボル（１５ｋＨｚに対して２、３０ｋＨｚに対して１、および３０ｋＨｚを上回るに対して１またはゼロ）による、例えば１４シンボルの持続時間のスロット間隔をさらに規定してよい。ＮＲ仕様は、それぞれのヌメロロジーおよびぞれぞれのスロット設定に対する少なくとも１つの長さを規定する。よって、それぞれのＰＵＣＣＨヌメロロジーに対して、ＰＵＣＣＨスロット設定は、無線デバイスによって取得される／受信される情報に加えられ得る。スロット設定と併せたヌメロロジーはさらにまた、ＰＵＣＣＨ構造を指示することが考えられる。ＰＵＣＣＨ構造は、（表５に示されるような）ＰＵＣＣＨシンボルの数、またはスロットの数（表５に対するＭａｔｌａｂ記数法における（［１  １；２  ２；（２または４）（２または４）］）のどちらかを伝えることが可能である。シンボル数が返される（シンボル数のＰＵＣＣＨ長が決定される）場合、ヌメロロジーに対して規定される場合、拡張されたサイクリックプレフィックス（ＣＰ）を考慮する必要もある。拡張ＣＰによって、スロットは１４の代わりに１２シンボルを含有する。ＰＵＣＣＨ  Ｃｏｎｆ１および２は、スロット設定と無関係である可能性があり、すなわち、クロス設定され得る。
【００３４】
第２の実施形態では、ＵＥは、実際のヌメロロジー（ヌメロロジーのｎの値）、および物理アップリンク制御チャネル設定、例えば、物理アップリンク制御チャネル（ＰＵＣＣＨ）の長さを算出する設定１または２（Ｃｏｎｆ１またはＣｏｎｆ２）によって設定される。
【００３５】
例えば、１５ｋＨｚ（ｎ＿Ｒｅｆ＝０）の、ＰＵＣＣＨ基準（またはデフォルト）のヌメロロジーについて、ＲＲＣは、Ｃｏｎｆ１＝１４シンボル（１ｍｓ）およびＣｏｎｆ２＝７シンボル（０．５ｍｓ）を規定する。物理アップリンク制御チャネルの長さ（時間領域における持続時間）はよって、Ｌ＝１４＊２＾（ｎ−ｎ＿Ｒｅｆ）と計算されてよく、この場合、ｎ＿Ｒｅｆは参照ヌメロロジーのｎの値である（ｎ０とも示され得る）。同じ式が、７シンボルまたはシンボルの代わりのスロットに基づいて適用可能である。参照ヌメロロジー、例えば、２ｎ０・１５ｋＨｚ（典型的にはｎ０＝０）について、例えば、１４シンボル（１ｍｓ）に及ぶ基準ＰＵＣＣＨ設定が規定される。ヌメロロジー２ｎ・１５ｋＨｚについて、シンボル数はＮｓｙｍｂ，ｎ＝２（ｎ-ｎ０）・１４、または典型的には、Ｎｓｙｍｂ，ｎ＝２ｎ・１４（ｎ０＝０）に従って計算可能である。代わりにまたは加えて、基準設定は７シンボルに基づく可能性があり、この場合、Ｎｓｙｍｂ，ｎ＝２（ｎ-ｎ０）・７が適用される。スロットが７または１４ではなく６または１２シンボルを含有する拡張ＣＰでは、拡張ＣＰに関する上記と同じ見解が適用される。実施形態のさらなる態様では、シンボル数を決定する代わりに、式、例えば、Ｎｓｌｏｔ，ｎ＝２（ｎ−ｎ０）・Ｎｓｌｏｔ，ｎ＿０（ここで、Ｎｓｌｏｔ，ｎ０は、参照ヌメロロジーｎ０におけるＰＵＣＣＨスロット数である）を使用して、ヌメロロジーｎにおけるスロット数を決定することが可能である。
【００３６】
第３の実施形態では、ＰＵＣＣＨ構造、より詳細には、ＰＵＣＣＨのシンボルまたはスロットの数の長さ（継続時間）は、ミリ秒など秒での物理アップリンク制御チャネル設定の持続時間に関する、受信されるなど取得される情報に基づいて無線デバイスによって計算（決定）可能である。受信されたまたは取得された情報において、物理アップリンク制御チャネル設定の長さは、シンボル／スロットの数の代わりにミリ秒（ｍｓｅｃまたはｍｓ）で規定される。例えば、ＲＲＣは、ｍｓｅｃでのＰＵＣＣＨ長を規定し（例えば、Ｃｏｎｆ１＝１ｍｓ、Ｃｏｎｆ２＝０．５ｍｓ）、ヌメロロジーと共に、無線デバイスはＰＵＣＣＨのスロットまたはシンボルを算出できる。よって、（例えば、ミリ秒における）ＰＵＣＣＨ持続時間は、ヌメロロジーと無関係に規定され、かつシンボルまたはスロットの数での持続時間を算出するためにヌメロロジーと共に使用される。
【００３７】
よって、ミリ秒におけるＰＵＣＣＨ持続時間は、ＰＵＣＣＨ設定（例えば、Ｃｏｎｆ１または２）に応じて、ヌメロロジー（またはヌメロロジーに関連するサブキャリア間隔）に関する情報と共に、ＰＵＣＣＨのスロットまたはシンボルの数を決定する（例えば算出する）ために組み合わせられる。例えば、ＰＵＣＣＨスロット数はさらにまた、Ｎｓｌｏｔ，ｎ＝Ｔ０／Ｔｓｌｏｔ，ｎとして算出可能であり、ここで、Ｔ０は規定されるＰＵＣＣＨ持続時間（例えば、１ｍｓ）であり、Ｔｓｌｏｔ，ｎはヌメロロジーｎのスロット持続時間である。ＰＵＣＣＨ持続時間Ｔ０はよって、物理アップリンクチャネル設定、例えば、設定１または２（Ｃｏｎｆ１または２）に依存している場合があり、これによってさらにまた、シンボルまたはスロットの数の代わりにミリ秒における継続時間が規定されている。シンボル数は、Ｎｓｙｍｂ，ｎ＝Ｎｓｌｏｔ，ｎ・Ｌ＝Ｔ０／Ｔｓｌｏｔ，ｎ・Ｌに従って算出可能であり、ここで、Ｌは１スロット当たりのシンボル数、例えば、７もしくは１４ｆ（通常のＣＰ）または６もしくは１２（拡張ＣＰ）である。スロットまたはシンボルの算出（決定）はよって、無線デバイスにおいて行われてよい。
【００３８】
動作例
提案された方法について、ここで、図６および図７を参照してより詳細に説明する。図６および図７が実線の枠で示されるいくつかの動作およびモジュール、ならびに、点線の枠で示されるいくつかの動作およびモジュールを含むことは、理解されるべきである。実線の枠で示される動作およびモジュールは、最も広い例示の実施形態に含まれる動作である。点線の枠で示される動作およびモジュールは、含まれてよいまたは一部分であってよい例示の実施形態である、または、より広い例示の実施形態の動作およびモジュールに加えて採用されてよいさらなる実施形態である。動作が順番に行われる必要がないことは理解されるべきである。また、動作の全てが行われる必要がないことは理解されるべきである。
【００３９】
図６は、ＰＵＣＣＨとも称される物理アップリンク制御チャネルを送信するために（ＰＵＣＣＨについての情報を送信するために）無線通信システムにおける無線デバイスにおいて行われる方法を示す。この方法は、アップリンクデータ、または制御情報、とりわけ、物理アップリンク制御チャネル構造を有する物理アップリンク制御チャネルについてのアップリンク制御情報（ＵＣＩ）を、１つまたは複数の無線ノードに送信すること（Ｓ１２）であって、使用される物理アップリンク制御チャネル構造は、物理アップリンク制御チャネルを送信するための無線デバイスに対して設定されるまたはこれによって使用される少なくとも１つのヌメロロジーまたは周波数サブキャリア間隔に基づく、送信することを含む。物理アップリンク制御チャネル構造を使用する物理アップリンク制御チャネル上の送信が行われ、この物理アップリンク制御チャネル構造は、どの、ヌメロロジーｎなどのヌメロロジー（ＰＵＣＣＨヌメロロジー）または周波数サブキャリア間隔が無線デバイスに対して設定される（これらによって無線デバイスが設定される）か、および／または、無線デバイスによって使用されているかに基づいており、周波数サブキャリア間隔はある特定のヌメロロジー（前記の周波数サブキャリア間隔を使用するヌメロロジー）にリンクされてよい。物理アップリンクチャネル構造は、例えば、物理アップリンク制御チャネルの長さ、すなわち継続時間、または周波数範囲、またはチャネルの構造に関連している任意の他のパラメータを規定可能である。長さまたは継続時間は、シンボル（時間シンボル）数、スロット数、またはミリ秒（数）であってよい。ＰＵＣＣＨ構造はまた、ＰＵＣＣＨフォーマットに関連する（またはこれに言及さえする）可能性があり、適したペイロードなどのＰＵＣＣＨフォーマットの性質を含んでよい。ＰＵＣＣＨが送信される無線ノードは、例えば、ｇＮＢといった、無線デバイス、ネットワークノード、クラウドノード、または基地局の１つまたは複数とすることができる。
【００４０】
方法はさらに、無線デバイスによって使用される少なくとも１つのヌメロロジー設定または周波数サブキャリア間隔設定を指示する情報を取得すること（Ｓ１０）を含むことが可能である。実施形態のある特定の態様では、ヌメロロジーまたは周波数サブキャリア間隔を指示する情報を取得すること（Ｓ１０）は、例えば、ＲＲＣメッセージにおいて、例えば、基地局またはクラウドノードなどのネットワークノードから情報を受信することを含む。ヌメロロジーはまた、無線デバイス自体によって決定可能である。方法はさらに、無線デバイスに対して設定されるまたはこれによって使用される少なくとも１つのヌメロロジーまたは周波数サブキャリア間隔にリンクされるまたはこれらに基づいて決定される、物理アップリンク制御チャネル構造を決定すること（Ｓ１１）を含むことができる。本発明の１つの実施形態において、ＰＵＣＣＨ構造は、ヌメロロジー（または周波数サブキャリア間隔）および１つまたは複数のＰＵＣＣＨ設定に基づいて決定される。設定は、無線デバイスによって使用されるＵＬ  ＢＷＰ設定であってよい。
【００４１】
１つの態様では、それぞれのヌメロロジーまたは周波数サブキャリア間隔は、少なくとも１つの物理アップリンク制御チャネル設定にマッピングし、物理アップリンク制御チャネル構造を決定すること（Ｓ１１）は、ヌメロロジーまたは周波数サブキャリア間隔を少なくとも１つの物理アップリンク制御チャネル設定にマッピングすることを含む。本発明の１つの態様では、それぞれのヌメロロジーまたは周波数サブキャリア間隔は、第１の物理アップリンク制御チャネル設定（Ｃｏｎｆ１）または第２の物理アップリンク制御チャネル設定（Ｃｏｎｆ２）のどちらかにマッピングし、方法は、ヌメロロジーまたは周波数サブキャリア間隔を第１の物理アップリンク制御チャネル設定（Ｃｏｎｆ１）にマッピングすることによって第１の物理アップリンク制御チャネル構造を決定すること（Ｓ１１ａ）、またはヌメロロジーまたは周波数サブキャリア間隔を第２の物理アップリンク制御チャネル設定（Ｃｏｎｆ２）にマッピングすることによって第２の物理アップリンク制御チャネル構造を決定すること（Ｓ１１ｂ）をさらに含む。マッピングは表を使用して行われてよく、ここで表は、それぞれの設定されるまたは使用されるヌメロロジーもしくは周波数サブキャリア間隔に対して１つまたは複数の物理アップリンク制御チャネル設定に対する物理アップリンク制御チャネル構造を規定する。ＲＲＣメッセージなどにおいて、無線デバイスによって受信されてよい、例えばネットワークノードから無線デバイスに、例えば送信されてよい（これによって受信されてよい）表を、例えば使用することによって、マッピングが行われてよい。表はまた、無線デバイスのメモリに記憶されてよく、ＲＲＣメッセージは、マッピングを行い、かつＰＵＣＣＨ長などのＰＵＣＣＨ構造を抽出するために無線デバイスにおいて使用するためにＰＵＣＣＨ設定および／またはヌメロロジーを規定してよい。よって、表は、図５に例示されるように、それぞれのヌメロロジーおよびＰＵＣＣＨ設定に対して、ＰＵＣＣＨ長などの１つまたは複数のＰＵＣＣＨ構造を規定してよい。よって、マッピングは表を使用して行われ、この表は、２つの物理アップリンク制御チャネル設定、Ｃｏｎｆ１およびＣｏｎｆ２などの１つまたは複数のそれぞれに対して、およびそれぞれの設定されるまたは使用されるヌメロロジーもしくは周波数サブキャリア間隔に対して、物理アップリンク制御チャネルのシンボル、スロット、サンプル、またはミリ秒の数における長さ（継続時間）として物理アップリンク制御チャネル構造を規定してよい。１つの態様では、物理アップリンク制御チャネル構造を決定すること（Ｓ１１）は、設定される／使用されるヌメロロジーまたは周波数サブキャリア間隔、および、無線デバイスに対して設定される、第１の物理アップリンク制御チャネル設定（Ｃｏｎｆ１）または第２の物理アップリンク制御チャネル設定（Ｃｏｎｆ２）に基づいて、シンボル、スロット、またはサンプルの数における、物理アップリンク制御チャネルの長さ（継続時間）を決定することを含む。通常および特殊シンボルの数は、明示的にまたは暗黙的に指示されてよい。
【００４２】
例えば、第１のＰＵＣＣＨ設定、Ｃｏｎｆ１は、より長い物理アップリンク制御チャネル設定に関連してよく、第２のＰＵＣＣＨ設定、Ｃｏｎｆ２は、より短い物理アップリンク制御チャネル設定に関連してよい。さらなる実施形態では、物理アップリンク制御チャネル構造は、スロット設定またはスロット間隔（１スロット当たりのシンボル数）と共に、取得されるまたは使用されるヌメロロジーもしくは周波数サブキャリア間隔に基づいて決定される。１つの態様では、ヌメロロジーまたは周波数サブキャリア間隔を指示する情報を取得すること（Ｓ１０）は、スロット設定またはスロット間隔を取得すること（Ｓ１０ａ）をさらに含む。
【００４３】
さらなる実施形態では、無線デバイスは、ヌメロロジー（ヌメロロジーのｎの値）およびＰＵＣＣＨ設定によって設定され、これらを使用して、ＰＵＣＣＨ長などのＰＵＣＣＨ構造のエレメントを決定または算出／計算してよい。この長さは、ＰＵＣＣＨ設定、および、設定されるヌメロロジーのｎの値と基準（デフォルト／ゼロ）のヌメロロジーのｎの値との間の関係に基づいて決定される。実施形態のある態様では、第１の物理アップリンク制御チャネル設定（Ｃｏｎｆ１）は参照ヌメロロジーに対して１４シンボルであり、第２の物理アップリンク制御チャネル設定（Ｃｏｎｆ２）は参照ヌメロロジーに対して７シンボルであり、ここで、物理アップリンク制御チャネル長Ｌは、１４シンボルの第１の物理アップリンク制御チャネル設定（Ｃｏｎｆ１）が設定される場合Ｌ＝１４・２＾（ｎ−ｎ＿０）、または７シンボルの第２の物理アップリンク制御チャネル設定（Ｃｏｎｆ２）が設定される場合Ｌ＝７・２＾（ｎ−ｎ＿０）に従って決定され、ここで、ｎは設定される／使用されるヌメロロジーに対するｎの値であり、ｎ＿０は参照ヌメロロジーに対するｎの値であり、長さＬはシンボル数である、または、Ｌ＝Ｎ＿（ｓｌｏｔ，ｎ）＝２＾（（ｎ−ｎ＿０））・Ｎ＿（ｓｌｏｔ，ｎ＿０）に従って決定され、ここで、Ｌはスロット数であり、Ｎ＿（ｓｌｏｔ，ｎ）はヌメロロジーｎのスロット数における長さであり、Ｎ＿（ｓｌｏｔ，ｎ＿０）は参照ヌメロロジーｎ＿０におけるスロット数である。拡張ＣＰを使用する時、Ｃｏｎｆ１および２はそれぞれ、１２シンボルおよび６シンボルであってよく、式によってさらにまた、Ｌ＝１２＊２＾（ｎ−ｎ＿０）およびＬ＝６＊２＾（ｎ−ｎ＿０）をそれぞれ読み出すことができる。
【００４４】
さらなる実施形態では、ＰＵＣＣＨ設定および／またはＰＵＣＣＨ持続時間は、スロットまたはシンボルの代わりにミリ秒で受信される。１つの態様では、ヌメロロジーまたは周波数サブキャリア間隔を指示する情報を取得すること（Ｓ１０）は、ヌメロロジーと関連付けられたアップリンク帯域幅部分設定を取得すること（Ｓ１０ｂ）をさらに含む。方法の１つの態様では、シンボルはＯＦＤＭシンボルまたはＳＣ−ＦＤＭＡシンボルであり、物理アップリンク制御チャネル構造はＮＲに対するＰＵＣＣＨ構造である。
【００４５】
物理アップリンク制御チャネル上の送信を受信するための、ネットワークノードにおいて行われる対応する方法について、ここで、図７を参照して説明する。図７は、物理アップリンク制御チャネルを受信するための、無線通信システムにおけるネットワークノードにおいて使用するための方法を示す。この方法は、少なくとも１つの無線デバイスに、少なくとも１つの物理アップリンク制御チャネルのヌメロロジー設定または周波数サブキャリア間隔設定を指示する情報を送信すること（Ｓ１）、および無線デバイスの少なくとも１つから、物理アップリンク制御チャネルについてのアップリンク制御情報メッセージを受信すること（Ｓ３）であって、物理アップリンク制御チャネル構造は送信される情報に基づく、受信することを含む。１つの態様では、方法は、無線デバイスが使用することができる、および／または無線デバイスが使用するものとする、ヌメロロジーまたは周波数サブキャリア間隔の１つまたは複数を指示する情報を取得すること（Ｓ０）をさらに含み、情報を取得すること（Ｓ０）は、ネットワークノードにおける１つまたは複数の無線デバイスによって使用される少なくとも１つのヌメロロジーまたは周波数サブキャリア間隔を決定すること、または別のノードから少なくとも１つのヌメロロジーまたは周波数サブキャリア間隔を受信することを含んでよい。１つの態様では、送信される（Ｓ１）情報は、スロット設定または帯域幅部分設定をさらに含む。１つの実施形態では、方法は、ヌメロロジーまたは周波数サブキャリア間隔と物理アップリンク制御チャネル構造との間のマッピングを指示する情報を含むメッセージを１つまたは複数の無線デバイスに送信すること（Ｓ２）をさらに含んでよい。送信されるメッセージは、物理アップリンク制御チャネル設定をさらに含んでよく、物理アップリンク制御チャネル構造は、ヌメロロジーまたは周波数サブキャリア間隔、および物理アップリンク制御チャネル設定の両方に基づいてよい。さらなる態様では、送信されるメッセージは、無線デバイスのメモリに記憶される表を含む、または表におけるマッピングを指示する。上述した方法の物理アップリンク制御チャネル構造は、物理アップリンク制御チャネルの長さ（継続時間）を規定してよい。さらなる態様では、ネットワークノードはｇＮＢである。
【００４６】
例示のノード設定
ここで図８に移る。図８は、物理アップリンク制御チャネルを送信するおよび／または物理アップリンク制御チャネル構造を決定するように設定される無線デバイスの例示の実施形態のいくつかのモジュールを示す概略図である。無線デバイスは、図６との関連で説明される方法の態様全てを実施するように設定される。無線デバイス１０は、ネットワークノードと通信するように設定される無線通信インターフェース（ｉ／ｆ）１１を備える。無線通信インターフェース１１は、１つまたはいくつかの無線アクセス技術によって通信するように適応されてよい。いくつかの技術がサポートされる場合、ノードは典型的には、いくつかの通信インターフェース、例えば、ＬＴＥまたはＮＲを含む、１つのＷＬＡＮまたはＢｌｕｅｔｏｏｔｈ通信インターフェースおよび１つのセルラー通信インターフェースを含む。
【００４７】
無線デバイス１０は、コントローラ（ＣＴＬ）、または、コンピュータプログラムコードを実行可能な、任意の適した中央処理装置（ＣＰＵ）、マイクロコントローラ、デジタル信号プロセッサ（ＤＳＰ）などによって構成可能な処理回路構成１２を含む。コンピュータプログラムは、メモリ（ＭＥＭ）１３に記憶されてよい。メモリ１３は、読み出しおよび書き込みメモリ（ＲＡＭ）、および読み出し専用メモリ（ＲＯＭ）の任意の組合せとすることができる。メモリ１３は、例えば、磁気メモリ、光メモリ、またはソリッドステートメモリもしくはさらには遠隔に装着されたメモリの任意の単一のものまたは組合せとすることができる永続記憶装置も含むことができる。いくつかの態様によると、本開示は、実行される時、無線デバイスに、上述されかつ後述される方法を実行させるコンピュータプログラムコードを含むコンピュータプログラムに関する。いくつかの態様によると、本開示は、コンピュータプログラム製品、または前記のコンピュータプログラムを保持するコンピュータ可読媒体に関連する。処理回路構成は、コンピュータプログラムを記憶するメモリ１３、およびプロセッサ１４両方をさらに備えてよく、プロセッサはコンピュータプログラムの方法を実施するように設定される。
【００４８】
１つの実施形態は、物理アップリンク制御チャネルをネットワークノード（２０）に送信するように設定される無線通信システム（１００）において動作するように設定される無線デバイス（１０）を含む。無線デバイス（１０）は、通信インターフェース（１１）と、無線デバイス（１０）に、物理アップリンク制御チャネル構造を有する物理アップリンク制御チャネルについてのアップリンク制御情報を１つまたは複数の無線ノードに送信させるように設定される処理回路構成（１２）であって、使用される物理アップリンク制御チャネル構造は、物理アップリンク制御チャネルを送信するために無線デバイス（１０）によって使用される少なくとも１つのヌメロロジーまたは周波数サブキャリア間隔に基づく、処理回路構成（１２）とを含む。処理回路構成１２は、無線デバイス１０にＰＵＣＣＨを送信させるように設定され、ＰＵＣＣＨ構造は、少なくとも、無線デバイスに対して設定されるまたはこれによって受信されるヌメロロジーに基づく。いくつかの態様によると、処理回路構成１２は、無線デバイス１０に、無線デバイス（１０）によって使用される少なくとも１つのヌメロロジーまたは周波数サブキャリア間隔を指示する情報を取得させ、かつ、物理アップリンク制御チャネル構造を決定させるように設定され、物理アップリンク制御チャネル設定は、無線デバイス（１０）によって使用される少なくとも１つのヌメロロジーまたは周波数サブキャリア間隔に基づいて決定される。いくつかの態様によると、それぞれのヌメロロジーまたは周波数サブキャリア間隔は、第１の物理アップリンク制御チャネル設定または第２の物理アップリンク制御チャネル設定のどちらかにマッピングし、処理回路構成（１２）は、ヌメロロジーまたは周波数サブキャリア間隔を第１の物理アップリンク制御チャネル設定にマッピングすることによって第１の物理アップリンク制御チャネル構造を決定するように、または、ヌメロロジーまたは周波数サブキャリア間隔を第２の物理アップリンク制御チャネル設定にマッピングすることによって第２の物理アップリンク制御チャネル構造を決定するようにさらに設定される。
【００４９】
さらに、ホストコンピュータ、およびここでのアクティビティに関連する実施形態はまた、本開示に含まれる。サービスプロバイダが所有もしくは制御している、または、サービスプロバイダによって、またはそれらの代わりに動作させる、ホストコンピュータ（またはサーバ、またはアプリケーションサーバ）は、コアネットワークを介してＲＡＮ（例えば、セルラーネットワーク）に接続される。
【００５０】
１つの態様では、基地局またはネットワークノードと通信するように設定されるユーザ機器（ＵＥ）または無線デバイスが含まれる。ＵＥは、無線インターフェースと、無線デバイスによって使用される少なくとも１つのヌメロロジー設定または周波数サブキャリア間隔設定を指示する情報を取得するように、無線デバイスによって使用される少なくとも１つのヌメロロジーまたは周波数サブキャリア間隔に基づいて決定される物理アップリンク制御チャネル構造を決定するように、および決定された物理アップリンク制御チャネル構造を使用して物理アップリンク制御チャネルについてのアップリンク制御情報を１つまたは複数の無線ノードに送信するように設定される処理回路構成とを含む。さらなる態様では、ホストコンピュータを含む通信システムが含まれる。通信システムは、ユーザ機器（ＵＥ）から基地局への送信から生じるユーザデータを受信するように設定される通信インターフェースを含み、ＵＥは、無線インターフェースおよび処理回路構成を備え、ＵＥの処理回路構成は、無線デバイスによって使用される少なくとも１つのヌメロロジー設定または周波数サブキャリア間隔設定を指示する情報を取得するように、無線デバイスによって使用される少なくとも１つのヌメロロジーまたは周波数サブキャリア間隔に基づいて決定される、物理アップリンク制御チャネル構造を決定するように、および決定された物理アップリンク制御チャネル構造を使用して物理アップリンク制御チャネルについてのアップリンク制御情報を１つまたは複数の無線ノードに送信するように設定される。１つの態様では、通信システムはＵＥをさらに含む。別の態様では、通信システムは基地局をさらに含み、基地局は、ＵＥと通信するように設定される無線インターフェースと、ＵＥから基地局への送信によって伝達されるユーザデータをホストコンピュータに転送するように設定される通信インターフェースとを含む。さらなる態様では、ホストコンピュータの処理回路構成は、ホストアプリケーションを実行するように設定され、ＵＥの処理回路構成は、ホストアプリケーションと関連付けられたクライアントアプリケーションを実行することによってユーザデータを提供するように設定される。さらなる態様では、ホストコンピュータの処理回路構成は、ホストアプリケーションを実行することによって、要求データを提供するように設定され、ＵＥの処理回路構成は、ホストアプリケーションと関連付けられたクライアントアプリケーションを実行することによって、要求データに応答してユーザデータを提供するように設定される。
【００５１】
さらなる実施形態では、ホストコンピュータ、基地局、およびユーザ機器（ＵＥ）を含む通信システムにおいて実施される方法が規定される。方法は、ホストコンピュータにおいて、ＵＥから基地局に送信されるユーザデータを受信することを含み、ＵＥは、無線デバイスによって使用される少なくとも１つのヌメロロジー設定または周波数サブキャリア間隔設定を指示する情報を取得し、無線デバイスによって使用される少なくとも１つのヌメロロジーまたは周波数サブキャリア間隔に基づいて決定される物理アップリンク制御チャネル構造を決定し、および決定された物理アップリンク制御チャネル構造を使用して物理アップリンク制御チャネルについてのアップリンク制御情報を１つまたは複数の無線ノードに送信する。１つの態様では、方法は、ＵＥにおいて、ユーザデータを基地局に提供することを含む。方法は、ＵＥにおいて、クライアントアプリケーションを実行することによって、送信されるユーザデータを提供することと、ホストコンピュータにおいて、クライアントアプリケーションと関連付けられたホストアプリケーションを実行することとをさらに含む。方法は、ＵＥにおいて、クライアントアプリケーションを実行することと、ＵＥにおいて、クライアントアプリケーションに対する入力データを受信することであって、入力データは、ホストコンピュータにおいて、クライアントアプリケーションと関連付けられたホストアプリケーションを実行することによって提供される、受信することとをさらに含み、送信されるユーザデータは入力データに応答してクライアントアプリケーションによって提供される。
【００５２】
いくつかの態様によると、処理回路構成１２または無線デバイス１０は、上述される方法を実行するように設定されるモジュール４１〜４３を含む。これらのモジュールは図１０に示されている。モジュールは、ハードウェア、ソフトウェア、またはこれらの組合せにおいて実装される。モジュールは、１つの態様によると、処理回路構成１２上で起動する、メモリ１３に記憶されるコンピュータプログラムとして実装される。
【００５３】
いくつかの態様によると、無線デバイス１０または処理回路構成１２は、無線デバイスによって使用される少なくとも１つのヌメロロジー設定または周波数サブキャリア間隔設定を指示する情報を、受信するなど、取得するように設定される情報取得モジュール４１を含む。いくつかの態様によると、無線デバイス１０または処理回路構成１２は、物理アップリンク制御チャネル構造を決定するように設定される決定モジュール４２であって、物理アップリンク制御チャネル構造は受信した情報、すなわち、無線デバイスに対して設定される／これによって使用される少なくとも１つのヌメロロジーまたは周波数サブキャリア間隔に基づいて判断される、決定モジュール４２を含む。いくつかの態様によると、無線デバイス１０または処理回路構成１２は、決定された物理アップリンク制御チャネル構造を使用して、物理アップリンク制御チャネルについてのアップリンク制御情報を１つまたは複数の無線ノードに送信するように設定される送信モジュール４３を含む。
【００５４】
図９は、上で論じられる例示の実施形態のいくつかを組み込むネットワークノード２０の一例を示す。図９は、（１つまたは複数の）無線デバイス１０からＰＵＣＣＨを受信する（ＰＵＣＣＨについてのＵＣＩの送信）ように設定されるネットワークノード２０を開示している。図９に示されるように、ネットワークノード２０は、ネットワーク内で任意の形態の通信または制御信号を受信しかつ送信するように設定される無線通信インターフェースまたは無線回路構成２１を含む。通信インターフェース（無線回路構成）２１が、いくつかの態様によると、任意の数の、送受信、受信、および／または送信ユニットもしくは回路構成として含まれることは理解されるべきである。無線回路構成２１が、例えば、当技術分野で既知の任意の入力／出力通信ポートの形態とすることができることは、さらに理解されるべきである。無線回路構成２１は、例えば、（示されない）ＲＦ回路構成およびベースバンド処理回路構成を含む。
【００５５】
いくつかの態様によるネットワークノード２０は、無線回路構成２１と通信する少なくとも１つのメモリユニットまたは回路構成２３をさらに含む。メモリ２３は、例えば、受信されるまたは送信されるデータおよび／もしくは実行可能プログラム命令を記憶するように設定可能である。メモリ２３は、例えば、任意の形態のコンテキストデータを記憶するように設定される。メモリ２３は、例えば、任意の適したタイプのコンピュータ可読メモリとすることができ、例えば、揮発性および／または不揮発性タイプとすることができる。ネットワークノード２０は、ネットワークノード２０に、少なくとも１つのヌメロロジーまたは周波数サブキャリア間隔を指示する情報を１つまたは複数の無線デバイスに送信すること、および、物理アップリンク制御チャネルについてのアップリンク制御情報メッセージを受信することであって、物理アップリンク制御チャネルの構造は送信される情報に基づく、受信することを行わせるように設定される処理回路構成２２をさらに含む。
【００５６】
処理回路構成２２は、例えば、任意の適したタイプの計算ユニット、例えば、マイクロプロセッサ、デジタル信号プロセッサ（ＤＳＰ）、フィールドプログラマブルゲートアレイ（ＦＰＧＡ）、もしくは特定用途向け集積回路（ＡＳＩＣ）、または任意の他の形態の回路構成である。処理回路構成が単一のユニットとして提供される必要がなく、いくつかの態様によると、任意の数のユニットまたは回路構成として提供されることは、理解されるべきである。よって、処理回路構成は、コンピュータプログラムを記憶するためのメモリ２３、および、コンピュータプログラムの方法を実行するように設定されるプロセッサ２４両方を含んでよい。
【００５７】
コントローラ（ＣＴＬ）または処理回路構成２２は、いくつかの態様によると、コンピュータプログラムコードを実行することが可能である。コンピュータプログラムは、例えば、メモリ（ＭＥＭ）２３に記憶される。メモリ２３は、読み出しおよび書き込みメモリ（ＲＡＭ）および読み出し専用メモリ（ＲＯＭ）の任意の組合せとすることができる。メモリ２３は、いくつかの状況では、例えば、磁気メモリ、光メモリ、またはソリッドステートメモリもしくはさらには遠隔に装着されたメモリの任意の単一のものまたは組合せとすることができる永続記憶装置も含む。処理回路構成が単一のユニットとして提供される必要がなく、いくつかの態様によると、任意の数のユニットまたは回路構成として提供されることは、理解されるべきである。いくつかの態様によると、本開示は、実行される時、ネットワークノードに、上述されかつ後述される方法を実行させるコンピュータプログラムコードを含むコンピュータプログラムに関する。
【００５８】
１つの実施形態では、無線デバイス（１０）から物理アップリンク制御チャネルを受信するように設定される無線通信システム（１００）において動作するように設定されるネットワークノード（２０）が含まれる。ネットワークノード（２０）は、通信インターフェース（２１）と、ネットワークノード（２０）に、少なくとも１つのヌメロロジーまたは周波数サブキャリア間隔を指示する情報を１つまたは複数の無線デバイスに送信すること、および、物理アップリンク制御チャネルについてのアップリンク制御情報メッセージを受信することであって、物理アップリンク制御チャネルの構造は送信される情報に基づく、受信することを行わせるように設定される処理回路構成（２２）とを含む。いくつかの態様によると、処理回路構成２２は、無線デバイスが使用することができ、かつより多くの無線デバイス（１０）が使用するものとする１つまたは複数のヌメロロジーまたは周波数サブキャリア間隔を指示する情報を取得するように、およびヌメロロジーまたは周波数サブキャリア間隔を物理アップリンク制御チャネル構造にどのようにマッピングするかを指示する情報を含むメッセージを無線デバイス（１０）に送信するように設定される。
【００５９】
無線デバイスは、周波数サブキャリア間隔を指示する情報を受信すること（モジュール４１）であって、周波数サブキャリア間隔は、少なくとも、マルチキャリアシステムにおける、スケジューリング済みの空間的に多重化された無線デバイスの数に基づく、受信すること、少なくとも受信した情報に基づいて参照信号のシーケンスを決定すること（モジュール４２）、および受信した情報を使用するシンボルを持つ参照信号のリソースエレメントにおいて参照信号をネットワークノードに送信すること（モジュール４４）を行うように動作するモジュール（４１〜４４）を含む。ネットワークノードは、ＰＵＣＣＨを受信して、無線デバイスが使用することができ、かつより多くの無線デバイス（１０）が使用するものとするヌメロロジーまたは周波数サブキャリア間隔の１つまたは複数を指示する情報を取得すること（モジュール５１）、少なくとも１つのヌメロロジーまたは周波数サブキャリア間隔を指示する情報を１つまたは複数の無線デバイスに送信すること（モジュール５２）、ヌメロロジーまたは周波数サブキャリア間隔と物理アップリンク制御チャネル構造との間のマッピングを指示する情報を含むメッセージを無線デバイス（１０）に送信すること（モジュール５３）、および物理アップリンク制御チャネルについてのアップリンク制御情報メッセージを受信することであって、物理アップリンク制御チャネルの構造は送信される情報に基づく、受信すること（モジュール５４）を行うように動作するモジュール（５１〜５４）を含む。
【００６０】
いくつかの態様によると、ネットワークノード２０または処理回路構成２２は、上述される方法を実行するように設定されるモジュールを含む。モジュールは、ハードウェア、ソフトウェア、またはこれらの組合せにおいて実装される。モジュールは図１１に示されている。モジュールは、１つの態様によると、処理回路構成２２上で起動する、メモリ２３に記憶されるコンピュータプログラムとして実装される。いくつかの態様によると、ネットワークノード２０または処理回路構成２２は、無線デバイスが使用することができ、かつより多くの無線デバイス（１０）が使用するものとするヌメロロジーまたは周波数サブキャリア間隔の１つまたは複数を指示する情報を取得するように設定される情報取得モジュール５１を含む。いくつかの態様によると、ネットワークノード２０または処理回路構成２２は、少なくとも１つのヌメロロジーまたは周波数サブキャリア間隔を指示する情報を１つまたは複数の無線デバイスに送信するように設定される第１の送信モジュール５２を含む。いくつかの態様によると、ネットワークノード２０または処理回路構成２２は、ヌメロロジーまたは周波数サブキャリア間隔と物理アップリンク制御チャネル構造との間のマッピングを指示する情報を含むメッセージを無線デバイス（１０）に送信するように設定される第２の送信モジュール５３を含む。いくつかの態様によると、ネットワークノード２０または処理回路構成２２は、物理アップリンク制御チャネルについてのアップリンク制御情報メッセージを受信することであって、物理アップリンク制御チャネルの構造は送信される情報に基づく、受信するように設定される受信モジュール５４を含む。
【００６１】
よって、本開示の内容によって、ＰＵＣＣＨを送信するために使用されるヌメロロジーに基づいて、ＰＵＣＣＨ長などのＰＵＣＣＨ構造を適応させる（決定する）ことによって全てのヌメロロジーに対して良好なカバレッジでＰＵＣＣＨを送信することが可能になる。
【００６２】
本開示の態様は、図面、例えば、ブロック図および／またはフローチャートを参照して説明される。図面におけるいくつかのエンティティ、例えば、ブロック図のブロック、また、図面におけるエンティティの組合せが、コンピュータプログラム命令によって実施可能であり、この命令がコンピュータ可読メモリに記憶可能であり、また、コンピュータまたは他のプログラマブルデータ処理装置にロード可能であることは、理解されたい。このようなコンピュータプログラム命令を、汎用コンピュータ、専用コンピュータ、および／または他のプログラマブルデータ処理装置のプロセッサに提供して、マシンを製造することで、コンピュータおよび／または他のプログラマブルデータ処理装置のプロセッサによって実行する命令が、ブロック図および／またはフローチャートの１つまたは複数のブロックにおいて特定される機能／作用を実装するための手段を作り出すようにすることができる。
【００６３】
図面および明細書において、本開示の例示の態様が開示されている。しかしながら、本開示の原理からおおむね逸脱することなくこれらの態様に対して多くの変形および修正をなすことができる。よって、本開示は、制限するものではなく例示と見なされるべきであり、上で論じられた特定の態様に限定されない。それ故に、特有の用語が用いられるが、それらの用語は、一般的かつ記述的な意味でのみ使用され、限定の目的のために使用されない。
【００６４】
本明細書に提供される例示の実施形態の説明は、例証の目的で提示されている。この説明は、網羅的であることは意図されていないし、例示の実施形態を開示される正確な形態に限定することも意図されておらず、修正および変形は、上記の教示を考慮して可能である、または提供される実施形態に対するさまざまな代替案の実践から得られてよい。本明細書に論じられる例は、さまざまな例示の実施形態の原理および性質、ならびにこの実践的な応用を説明して、考えられる特定の使用に適するようにさまざまなやり方でさまざまな修正と共に当業者が例示の実施形態を用いることができるようにするために、選定されかつ説明された。本明細書で説明される実施形態の特徴は、方法、装置、モジュール、システム、およびコンピュータプログラム製品の全ての可能な組合せで組み合わされてよい。本明細書に提示される例示の実施形態がそれぞれとのいずれの組合せにおいても実践可能であることは理解されるべきである。
【００６５】
「ｃｏｍｐｒｉｓｉｎｇ（含む）」という語が列挙されるもの以外の要素またはステップの存在を必ずしも除外するわけではなく、ある要素に先行する語「ａ」または「ａｎ」が、このような要素が複数存在することを除外しないことは留意されるべきである。いずれの参照記号も特許請求の範囲を限定するものではなく、例示の実施形態の少なくとも一部分がハードウェアおよびソフトウェア両方によって実施されてよく、いくつかの「手段」、「ユニット」、または「デバイス」がハードウェアの同じ項目によって表されてよいことは、さらに留意されるべきである。
【００６６】
本明細書に説明されるさまざまな例示の実施形態は、方法ステップまたはプロセスの一般的な文脈で説明され、これらは、１つの態様において、ネットワーク化された環境におけるコンピュータによって実行されるプログラムコードなどのコンピュータ実行可能命令を含む、コンピュータ可読媒体に具現化されたコンピュータプログラム製品によって実施可能である。コンピュータ可読媒体は、読み出し専用メモリ（ＲＯＭ）、ランダムアクセスメモリ（ＲＡＭ）、コンパクトディスク（ＣＤ）、デジタル多用途ディスク（ＤＶＤ）などを含むがこれらに限定されない取り外し可能および取り外し不可能ストレージデバイスを含んでよい。一般的に、プログラムモジュールは、特定のタスクを実行する、または特定の抽象データ型を実装する、ルーチン、プログラム、オブジェクト、コンポーネント、データ構造などを含んでよい。コンピュータ実行可能命令、関連データ構造、およびプログラムモジュールは、本明細書に開示される方法のステップを実行するためのプログラムコードの例を表す。このような実行可能命令の特定のシーケンスまたは関連データ構造は、このようなステップまたはプロセスにおいて説明した機能を実施するための対応する作用の例を表す。
【００６７】
いくつかの態様によると、無線デバイスにおいて実行される時、無線デバイスに、上述される、無線デバイスにおける方法を実行させるコンピュータプログラムコードを含むコンピュータプログラムが提供される。いくつかの態様によると、ネットワークノードにおいて実行される時、ネットワークノードに、上述される、ネットワークノードにおける方法を実行させるコンピュータプログラムコードを含むコンピュータプログラムが提供される。いくつかの態様によると、上述されるコンピュータプログラムの任意の１つを含有するキャリアが提供され、このキャリアは、電子信号、光信号、無線信号、またはコンピュータ可読記憶媒体のうちの１つである。
【００６８】
実施形態
１．物理アップリンク制御チャネルを送信するための、無線通信システムにおける無線デバイスにおいて使用するための方法であって、
物理アップリンク制御チャネル構造を有する物理アップリンク制御チャネルについてのアップリンク制御情報を１つまたは複数の無線ノードに送信すること（Ｓ１２）であって、使用される物理アップリンク制御チャネル構造は、物理アップリンク制御チャネルを送信するために無線デバイスに対して設定されるまたはこれによって使用される少なくとも１つのヌメロロジーまたは周波数サブキャリア間隔に基づく、アップリンク制御情報を送信すること、を含む、方法。
【００６９】
２．無線デバイスに対して設定されるまたはこれによって使用される少なくとも１つのヌメロロジーまたは周波数サブキャリア間隔に基づいて決定される、物理アップリンク制御チャネル構造を決定すること（Ｓ１１）をさらに含む、実施形態１の方法。
【００７０】
３．無線デバイスによって使用される少なくとも１つのヌメロロジー設定または周波数サブキャリア間隔設定を指示する情報を取得すること（Ｓ１０）をさらに含む、実施形態１の方法。
【００７１】
４．ヌメロロジーまたは周波数サブキャリア間隔を指示する取得された（Ｓ１０）情報はネットワークノードから情報を受信することを含む、実施形態３の方法。
【００７２】
５．それぞれのヌメロロジーまたは周波数サブキャリア間隔は、少なくとも１つの物理アップリンク制御チャネル設定にマッピングし、物理アップリンク制御チャネル構造を決定すること（Ｓ１１）は、ヌメロロジーまたは周波数サブキャリア間隔を少なくとも１つの物理アップリンク制御チャネル設定にマッピングすることを含む、実施形態２〜４の方法。
【００７３】
６．それぞれのヌメロロジーまたは周波数サブキャリア間隔は、第１の物理アップリンク制御チャネル設定（Ｃｏｎｆ１）または第２の物理アップリンク制御チャネル設定（Ｃｏｎｆ２）のどちらかにマッピングし、
ヌメロロジーまたは周波数サブキャリア間隔を第１の物理アップリンク制御チャネル設定（Ｃｏｎｆ１）にマッピングすることによって第１の物理アップリンク制御チャネル構造を決定すること（Ｓ１１ａ）、または
ヌメロロジーまたは周波数サブキャリア間隔を第２の物理アップリンク制御チャネル設定（Ｃｏｎｆ２）にマッピングすることによって第２の物理アップリンク制御チャネル構造を決定すること（Ｓ１１ｂ）をさらに含む、実施形態５の方法。
【００７４】
７．マッピングは表を使用して行われ、ここで表は、それぞれの設定されるまたは使用されるヌメロロジーもしくは周波数サブキャリア間隔に対して１つまたは複数の物理アップリンク制御チャネル設定に対する物理アップリンク制御チャネル構造を規定する、実施形態５〜６の方法。
【００７５】
８．マッピングは表を使用して行われ、ここで表は、２つの物理アップリンク制御チャネル設定、Ｃｏｎｆ１およびＣｏｎｆ２のそれぞれに対して、およびそれぞれの設定されるまたは使用されるヌメロロジーもしくは周波数サブキャリア間隔に対して、物理アップリンク制御チャネルのシンボル、スロット、またはミリ秒の数における長さ（継続時間）として物理アップリンク制御チャネル構造を規定する、実施形態６〜７の方法。
【００７６】
９．表は、例えば、ＲＲＣメッセージにおいて無線デバイスによって受信される、または無線デバイスのメモリに記憶される、実施形態７〜８の方法。
【００７７】
１０．表は無線デバイスのメモリに記憶され、物理アップリンク制御チャネル設定および物理アップリンク制御チャネルのヌメロロジーは、例えば、ＲＲＣメッセージにおいて、無線デバイスによって受信される、実施形態９の方法。
【００７８】
１１．１つまたは複数の無線ノードは、ｇＮＢといった、無線デバイス、ネットワークノード、クラウドノード、または基地局の１つまたは複数を構成する、実施形態１〜１０の方法。
【００７９】
１２．物理アップリンク制御チャネル構造は、物理アップリンク制御チャネルの継続時間（長さ）を規定しており、継続時間はスロット数またはシンボル数として規定される、実施形態１〜１７のいずれかの方法。
【００８０】
１３．物理アップリンク制御チャネル構造を決定すること（Ｓ１１）は、設定される／使用される物理アップリンク制御チャネルのヌメロロジーまたは周波数サブキャリア間隔、および、無線デバイスに対して設定される物理アップリンク制御チャネル設定に基づいて、シンボルまたはスロットの数における、物理アップリンク制御チャネルの長さ（継続時間）を決定することを含む、実施形態２〜６の方法。
【００８１】
１４．第１の物理アップリンク制御設定、Ｃｏｎｆ１は、より長い物理アップリンク制御チャネル設定に関連し、第２の設定、Ｃｏｎｆ２は、より短い物理アップリンク制御チャネル設定に関連する、実施形態６〜１３の方法。
【００８２】
１５．物理アップリンク制御チャネル構造は、スロット設定またはスロット間隔（１スロット当たりのシンボル数）と共に、取得されるまたは使用されるヌメロロジーもしくは周波数サブキャリア間隔に基づいて決定される、実施形態２〜１４のいずれかの方法。
【００８３】
１６．ヌメロロジーまたは周波数サブキャリア間隔を指示する情報を取得すること（Ｓ１０）は、スロット設定またはスロット間隔を取得すること（Ｓ１０ａ）をさらに含む、実施形態３〜１５の方法。
【００８４】
１７．第１の物理アップリンク制御チャネル設定（Ｃｏｎｆ１）は参照ヌメロロジーに対して１４シンボルであり、第２の物理アップリンク制御チャネル設定（Ｃｏｎｆ２）は参照ヌメロロジーに対して７シンボルであり、ここで、物理アップリンク制御チャネル長Ｌは、
１４シンボルの第１の物理アップリンク制御チャネル設定（Ｃｏｎｆ１）が設定される場合Ｌ＝１４・２＾（ｎ−ｎ０）、または
７シンボルの第２の物理アップリンク制御チャネル設定（Ｃｏｎｆ２）が設定される場合Ｌ＝７・２＾（ｎ−ｎ０）に従って決定され、
ここで、ｎは設定される／使用されるヌメロロジーに対するｎの値であり、ｎ０は参照ヌメロロジーに対するｎの値であり、長さＬはシンボル数である、または、
2020520590.tif 000003
に従って決定され、ここで、Ｌはスロット数であり、Ｎｓｌｏｔ，ｎはヌメロロジーｎに対するスロット数における長さであり、
2020520590.tif 000004
は参照ヌメロロジーｎ０におけるスロット数である、実施形態１２〜１４の方法。
【００８５】
１８．ヌメロロジーまたは周波数サブキャリア間隔を指示する情報を取得すること（Ｓ１０）は、ミリ秒における物理アップリンク制御チャネルの継続時間を取得すること（Ｓ１０ｂ）をさらに含み、継続時間は使用される物理アップリンク制御チャネル設定（例えば、Ｃｏｎｆ１またはＣｏｎｆ２）によって規定され、シンボルまたはスロットの数における物理アップリンク制御チャネルの長さ（継続時間）は、
Ｎｓｌｏｔ，ｎ＝Ｔ０／Ｔｓｌｏｔ，ｎ
に従って決定され、ここで、Ｎｓｌｏｔ，ｎは（ｎの値、ｎを有する）ヌメロロジーｎに対する物理アップリンク制御チャネルのスロット数における長さであり、Ｔ０は（Ｃｏｎｆ１またはＣｏｎｆ２によって規定される）ミリ秒における物理アップリンク制御チャネル持続時間の取得された持続時間であり、Ｔｓｌｏｔ，ｎはヌメロロジーｎのスロット持続時間であり、かつ、
Ｎｓｙｍｂ，ｎ＝Ｎｓｌｏｔ，ｎ・Ｌ＝Ｔ０／Ｔｓｌｏｔ，ｎ・Ｌ
に従って決定され、ここで、Ｎｓｙｍｂ，ｎはヌメロロジーｎに対する物理アップリンク制御チャネルのシンボル数における長さであり、Ｌはスロット間隔（スロット設定）におけるシンボル数である、実施形態１２〜１６の方法。
【００８６】
１９．シンボルはＯＦＤＭシンボルまたはＳＣ−ＦＤＭＡシンボルである、実施形態１２〜１８の方法。
【００８７】
２０．物理アップリンク制御チャネル設定はＮＲに対するＰＵＣＣＨ設定である、実施形態１〜１９のいずれかの方法。
【００８８】
２１．物理アップリンク制御チャネルを受信するための、無線通信システムにおけるネットワークノードにおいて使用するための方法であって、
少なくとも１つの無線デバイスに、少なくとも１つの物理アップリンク制御チャネルのヌメロロジー設定または周波数サブキャリア間隔設定を指示する情報を送信すること（Ｓ１）と、
無線デバイスのうちの少なくとも１つから、物理アップリンク制御チャネルについてのアップリンク制御情報メッセージを受信すること（Ｓ３）であって、物理アップリンク制御チャネル構造は送信される情報に基づく、アップリンク制御情報メッセージを受信することと、を含む、方法。
【００８９】
２２．無線デバイスが使用することができる、および／または無線デバイスが使用するものとする、ヌメロロジーまたは周波数サブキャリア間隔の１つまたは複数を指示する情報を取得すること（Ｓ０）をさらに含む、実施形態２１の方法。
【００９０】
２３．情報を取得すること（Ｓ０）は、ネットワークノードにおける１つまたは複数の無線デバイスによって使用される少なくとも１つのヌメロロジーまたは周波数サブキャリア間隔を決定すること、または別のノードから少なくとも１つのヌメロロジーまたは周波数サブキャリア間隔を受信することを含む、実施形態２２の方法。
【００９１】
２４．送信される（Ｓ１）情報は、スロット設定をさらに含む、実施形態１９〜２３の方法。
【００９２】
２５．ヌメロロジーまたは周波数サブキャリア間隔と物理アップリンク制御チャネル構造との間のマッピングを指示する情報を含むメッセージを１つまたは複数の無線デバイスに送信すること（Ｓ２）をさらに含む、実施形態１９〜２４の方法。
【００９３】
２６．送信されるメッセージは、物理アップリンク制御チャネル設定をさらに含み、物理アップリンク制御チャネル構造は、ヌメロロジーまたは周波数サブキャリア間隔、および物理アップリンク制御チャネル設定の両方に基づく、実施形態２５の方法。
【００９４】
２７．送信されるメッセージは、無線デバイスのメモリに記憶される表を含む、または表におけるマッピングを指示する、実施形態２５〜２６の方法。
【００９５】
２８．物理アップリンク制御チャネル構造は、物理アップリンク制御チャネルの長さ（継続時間）を規定する、実施形態１９〜２７の方法。
【００９６】
２９．ネットワークノードはｇＮＢである、実施形態１９〜２８の方法。
【００９７】
３０．ネットワークノード（２０）に物理アップリンク制御チャネルを送信するように設定される、無線通信システム（１００）において動作するように設定される無線デバイス（１０）であって、
通信インターフェース（１１）と、
無線デバイス（１０）に、物理アップリンク制御チャネル構造を有する物理アップリンク制御チャネルについてのアップリンク制御情報を１つまたは複数の無線ノードに送信させるように設定される処理回路構成（１２）であって、使用される物理アップリンク制御チャネル構造は、物理アップリンク制御チャネルを送信するために無線デバイス（１０）によって使用される、少なくとも１つのヌメロロジーまたは周波数サブキャリア間隔に基づく、処理回路構成（１２）と、を含む、無線デバイス（１０）。
【００９８】
３１．処理回路構成（１２）は、無線デバイス（１０）によって使用される少なくとも１つのヌメロロジーまたは周波数サブキャリア間隔を指示する情報を取得すること、および、物理アップリンク制御チャネル設定は無線デバイス（１０）によって使用される少なくとも１つのヌメロロジーまたは周波数サブキャリア間隔に基づいて決定される、物理アップリンク制御チャネル構造を決定するようにさらに設定される、実施形態３０の無線デバイス（１０）。
【００９９】
３２．それぞれのヌメロロジーまたは周波数サブキャリア間隔は、第１の物理アップリンク制御チャネル設定または第２の物理アップリンク制御チャネル設定のどちらかにマッピングし、処理回路構成（１２）は、ヌメロロジーまたは周波数サブキャリア間隔を第１の物理アップリンク制御チャネル設定にマッピングすることによって第１の物理アップリンク制御チャネル構造を決定するように、またはヌメロロジーまたは周波数サブキャリア間隔を第２の物理アップリンク制御チャネル設定にマッピングすることによって第２の物理アップリンク制御チャネル構造を決定するようにさらに設定される、実施形態３０〜３１の無線デバイス（１０）。
【０１００】
３３．無線デバイス（１０）から物理アップリンク制御チャネルを受信するように設定される無線通信システム（１００）において動作するように設定されるネットワークノード（２０）であって、
通信インターフェース（２１）と、
ネットワークノード（２０）に、少なくとも１つのヌメロロジーまたは周波数サブキャリア間隔を指示する情報を１つまたは複数の無線デバイスに送信すること、物理アップリンク制御チャネルについてのアップリンク制御情報メッセージを受信することであって、物理アップリンク制御チャネルの構造は送信される情報に基づく、アップリンク制御情報メッセージを受信することを行わせるように設定される処理回路構成（２２）と、を含む、ネットワークノード（２０）。
【０１０１】
３４．処理回路構成（２２）は、無線デバイスが使用することができ、かつより多くの無線デバイス（１０）が使用するものとする、ヌメロロジーまたは周波数サブキャリア間隔の１つまたは複数を指示する情報を取得するように、およびヌメロロジーまたは周波数サブキャリア間隔を物理アップリンク制御チャネル構造にどのようにマッピングするかを指示する情報を含むメッセージを無線デバイス（１０）に送信するようにさらに設定される、実施形態３３のネットワークノード（２０）。
【０１０２】
３５．無線デバイスによって使用される少なくとも１つのヌメロロジー設定または周波数サブキャリア間隔設定を指示する情報を取得するように、
無線デバイスによって使用される少なくとも１つのヌメロロジーまたは周波数サブキャリア間隔に基づいて決定される物理アップリンク制御チャネル構造を決定するように、および
決定された物理アップリンク制御チャネル構造を使用して物理アップリンク制御チャネルについてのアップリンク制御情報を１つまたは複数の無線ノードに送信するように設定される、無線デバイス（１０）。
【０１０３】
３６．実施形態１〜２０のいずれかの方法を実行するように設定される、実施形態３５の無線デバイス（１０）。
【０１０４】
３７．無線デバイスが使用することができ、かつより多くの無線デバイス（１０）が使用するものとするヌメロロジーまたは周波数サブキャリア間隔の１つまたは複数を指示する情報を取得することと、
少なくとも１つのヌメロロジーまたは周波数サブキャリア間隔を指示する情報を１つまたは複数の無線デバイスに送信することと、
ヌメロロジーまたは周波数サブキャリア間隔と物理アップリンク制御チャネル構造との間のマッピングを指示する情報を含むメッセージを無線デバイス（１０）に送信することと、
物理アップリンク制御チャネルについてのアップリンク制御情報メッセージを受信することであって、物理アップリンク制御チャネル構造は送信される情報に基づく、アップリンク制御情報メッセージを受信することと、を行うように設定される、ネットワークノード（２０）。
【０１０５】
３８．実施形態２１〜２９のいずれかの方法を実行するように設定される、実施形態３７のネットワークノード（２０）。
【０１０６】
３９．無線デバイスによって使用される少なくとも１つのヌメロロジー設定または周波数サブキャリア間隔設定を指示する情報を取得するように、無線デバイスによって使用される少なくとも１つのヌメロロジーまたは周波数サブキャリア間隔に基づいて決定される物理アップリンク制御チャネル構造を決定するように、および決定された物理アップリンク制御チャネル構造を使用して物理アップリンク制御チャネルについてのアップリンク制御情報を１つまたは複数の無線ノードに送信するように動作するモジュール（４１〜４３）を含む、無線デバイス。
【０１０７】
４０．無線デバイスが使用することができ、かつより多くの無線デバイス（１０）が使用するものとするヌメロロジーまたは周波数サブキャリア間隔の１つまたは複数を指示する情報を取得することと、少なくとも１つのヌメロロジーまたは周波数サブキャリア間隔を指示する情報を１つまたは複数の無線デバイスに送信することと、ヌメロロジーまたは周波数サブキャリア間隔と物理アップリンク制御チャネル構造との間のマッピングを指示する情報を含むメッセージを無線デバイス（１０）に送信することと、物理アップリンク制御チャネルについてのアップリンク制御情報メッセージを受信することであって、物理アップリンク制御チャネルの構造は送信される情報に基づく、アップリンク制御情報メッセージを受信することと、を行うように動作するモジュール（５１〜５４）を含む、ネットワークノード。
【０１０８】
４１．無線デバイスにおいて実行される時、無線デバイスに、実施形態１〜２０のいずれかによる方法を実行させるコンピュータプログラムコードを含む、コンピュータプログラム。
【０１０９】
４２．ネットワークノードにおいて実行される時、ネットワークノードに、実施形態２１〜２９のいずれかによる方法を実行させるコンピュータプログラムコードを含む、コンピュータプログラム。
【０１１０】
４３．実施形態４１〜４２のいずれかのコンピュータプログラムを含有するキャリアであって、電子信号、光信号、無線信号、またはコンピュータ可読記憶媒体のうちの１つである、キャリア。
【図１】
2020520590.tif 000005
【図２】
2020520590.tif 000006
【図３】
2020520590.tif 000007
【図４】
2020520590.tif 000008
【図５】
2020520590.tif 000009
【図６】
2020520590.tif 000010
【図７】
2020520590.tif 000011
【図８】
2020520590.tif 000012
【図９】
2020520590.tif 000013
【図１０】
2020520590.tif 000014
【図１１】
2020520590.tif 000015
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
物理アップリンク制御チャネルを送信するための、無線通信システムにおける無線デバイスにおいて使用するための方法であって、
物理アップリンク制御チャネル構造を有する物理アップリンク制御チャネルについてのアップリンク制御情報（ＵＣＩ）を１つまたは複数の無線ノードに送信すること（Ｓ１２）であって、前記物理アップリンク制御チャネル構造は、前記物理アップリンク制御チャネルを送信するために前記無線デバイスに対して設定されるまたはこれによって使用される少なくとも１つのヌメロロジーに基づく、アップリンク制御情報（ＵＣＩ）を１つまたは複数の無線ノードに送信すること、を含む、方法。
【請求項２】
前記無線デバイスに対して設定されるまたはこれによって使用される少なくとも１つのヌメロロジーに基づいて、物理アップリンク制御チャネル構造を決定すること（Ｓ１１）をさらに含む、請求項１に記載の方法。
【請求項３】
前記無線デバイスによって使用される少なくとも１つのヌメロロジー設定を指示する情報を取得すること（Ｓ１０）をさらに含む、請求項１に記載の方法。
【請求項４】
前記無線デバイスによって使用される少なくとも１つのヌメロロジー設定を指示する情報を取得すること（Ｓ１０）は、ネットワークノードから前記情報を受信することを含む、請求項３に記載の方法。
【請求項５】
それぞれのヌメロロジーまたは周波数サブキャリア間隔は、少なくとも１つの物理アップリンク制御チャネル設定にマッピングし、
物理アップリンク制御チャネル構造を決定すること（Ｓ１１）は、前記ヌメロロジーまたは周波数サブキャリア間隔を少なくとも１つの前記物理アップリンク制御チャネル設定にマッピングすることを含む、請求項２から４のいずれか一項に記載の方法。
【請求項６】
前記マッピングは表を使用して行われ、前記表は、それぞれの設定されるまたは使用されるヌメロロジーに対して１つまたは複数の前記物理アップリンク制御チャネル設定に対する前記物理アップリンク制御チャネル構造を規定する、請求項５に記載の方法。
【請求項７】
前記表は、前記物理アップリンク制御チャネルについてのＵＣＩを送信するために、それぞれの設定されるまたは使用されるヌメロロジーに対して、前記物理アップリンク制御チャネルのスロット、シンボル、および／またはサンプルの数における長さとして前記物理アップリンク制御チャネル構造を規定する、請求項６に記載の方法。
【請求項８】
物理アップリンク制御チャネルを受信するための、無線通信システムにおけるネットワークノードにおいて使用するための方法であって、
少なくとも１つの無線デバイスに、少なくとも１つの物理アップリンク制御チャネルのヌメロロジー設定を指示する情報を送信すること（Ｓ１）と、
前記少なくとも１つの無線デバイスから、物理アップリンク制御チャネルについてのＵＣＩメッセージを受信すること（Ｓ３）であって、前記物理アップリンク制御チャネルは送信された前記情報に基づく構造を有する、ＵＣＩメッセージを受信することと、を含む、方法。
【請求項９】
前記無線デバイスが使用することができる、または前記無線デバイスが使用するものとする、ヌメロロジーの１つまたは複数を指示する情報を取得すること（Ｓ０）をさらに含む、請求項８に記載の方法。
【請求項１０】
情報を取得すること（Ｓ０）は、１つまたは複数の前記無線デバイスによって使用される少なくとも１つのヌメロロジーを決定すること、または別のノードから前記少なくとも１つのヌメロロジーを受信することを含む、請求項９に記載の方法。
【請求項１１】
送信される（Ｓ１）前記情報は、スロット設定または帯域幅部分設定をさらに含む、請求項８から１０のいずれか一項に記載の方法。
【請求項１２】
ネットワークノード（２０）に物理アップリンク制御チャネルを送信するように設定される、無線通信システム（１００）において動作するように設定される無線デバイス（１０）であって、
通信インターフェース（１１）と、
前記無線デバイス（１０）に、物理アップリンク制御チャネル構造を有する物理アップリンク制御チャネルについてのアップリンク制御情報（ＵＣＩ）を１つまたは複数の無線ノードに送信させるように設定される処理回路構成（１２）であって、使用される前記物理アップリンク制御チャネル構造は、前記物理アップリンク制御チャネルを送信するために前記無線デバイス（１０）に対して設定されるまたはこれによって使用される少なくとも１つのヌメロロジーに基づく、処理回路構成（１２）と、を含む、無線デバイス（１０）。
【請求項１３】
前記処理回路構成（１２）は、前記無線デバイス（１０）によって使用される少なくとも１つのヌメロロジーを指示する情報を取得すること、および、前記物理アップリンク制御チャネルを送信するために前記無線デバイス（１０）に対して設定されるまたはこれによって使用される少なくとも１つのヌメロロジーに基づいて、前記物理アップリンク制御チャネル構造を決定するようにさらに設定される、請求項１２に記載の無線デバイス（１０）。
【請求項１４】
無線デバイス（１０）から物理アップリンク制御チャネルを受信するように設定される、無線通信システム（１００）において動作するように設定されるネットワークノード（２０）であって、
通信インターフェース（２１）と、
前記ネットワークノード（２０）に、少なくとも１つのヌメロロジーを指示する情報を１つまたは複数の無線デバイスに送信すること、および、前記１つまたは複数の無線デバイスから、物理アップリンク制御チャネルについてのアップリンク制御情報（ＵＣＩ）メッセージを受信することであって、前記物理アップリンク制御チャネルの構造は送信される前記情報に基づく、アップリンク制御情報（ＵＣＩ）メッセージを受信することを行わせるように設定される処理回路構成（２２）と、を含む、ネットワークノード（２０）。
【請求項１５】
前記処理回路構成（２２）は、前記無線デバイスが使用することができ、かつより多くの前記無線デバイス（１０）が使用するものとする、ヌメロロジーの１つまたは複数を指示する情報を取得するように、および前記ヌメロロジーまたは周波数サブキャリア間隔を物理アップリンク制御チャネル構造にどのようにマッピングするかを指示する情報を含むメッセージを前記無線デバイス（１０）に送信するようにさらに設定される、請求項１４に記載のネットワークノード（２０）。
【国際調査報告】
2020520590.tif 000016
2020520590.tif 000017
2020520590.tif 000018